【事件の表示】
　特許第３４１５１１９号「弾球遊技機」の請求項１ないし６に係る特許に対する特許異議の申立てについて、次のとおり決定する。
【結　論】
　訂正を認める。
　特許第３４１５１１９号の請求項１ないし５に係る特許を取り消す。
　同請求項６に係る特許を維持する。
【理　由】
第１．手続の経緯
　特許第３４１５１１９号の請求項１ないし６に係る発明についての出願は、平成１２年１２月２６日に特許出願され、平成１５年４月４日にその発明について特許権の設定登録がなされ、その後、その特許について、異議申立人済藤隆義、町田彬より特許異議の申立てがなされ、取消しの理由が通知され、その指定期間内である平成１６年７月１３日に訂正請求がなされたものである。
　
第２．訂正の適否についての判断
１．訂正の内容
ア．訂正事項ａ（下線部訂正箇所）
　特許明細書の特許請求の範囲の【請求項１】の記載について、「払出用の遊技球を貯留する貯留タンクと、前記貯留タンクから遊技球を流下させる誘導樋と、前記誘導樋を流下してきた遊技球を球停止位置で一旦停止させ、貸球払出操作手段の一の払出操作に対して予め設定された遊技球の払出個数を単位貸球数として、遊技球を払い出す貸球払出手段と、前記誘導樋を流下してきた遊技球を、前記貸球払出手段より上流の誘導樋に設けられた誘導切替部で、前記貸球払出手段への誘導又は誘導切替部より上流の遊技球を強制的に排出する球抜樋への誘導に切り替える誘導切替手段とを有する弾球遊技機において、前記誘導切替手段により遊技球の誘導が球抜樋への誘導に切り替えられて誘導切替部より上流の遊技球が排出された際に、前記誘導切替部から貸球払出手段の球停止位置までの間に残存する残球遊技球数が、前記単位貸球数の整数倍のみとなるように構成されたことを特徴とする弾球遊技機。」とあるのを、「払出用の遊技球を貯留する貯留タンクと、前記貯留タンクから遊技球を流下させる誘導樋と、前記誘導樋に連通する遊技球通路を有し、前記誘導樋を流下してきた遊技球を前記遊技球通路に設けた球停止位置で一旦停止させ、前記球停止位置を介して遊技球を払い出すように構成され、貸球払出操作手段の一の払出操作に対して予め設定された遊技球の払出個数を単位貸球数として、遊技球を払い出す貸球払出手段と、前記誘導樋を流下してきた遊技球を、前記貸球払出手段より上流の誘導樋に設けられた誘導切替部で、前記貸球払出手段への誘導又は誘導切替部より上流の遊技球を強制的に排出する球抜樋への誘導に切り替える誘導切替手段と、前記貸球払出手段から前記球停止位置を介して払い出された払出遊技球の個数をカウントする払出遊技球検出センサとを有し、前記払出遊技球検出センサにより前記貸球払出手段から払い出される払出遊技球の個数の不足が検出された場合にはエラー動作が発生する弾球遊技機において、前記誘導切替手段により遊技球の誘導が球抜樋への誘導に切り替えられて誘導切替部より上流の遊技球が排出された際に、前記誘導切替部から貸球払出手段の球停止位置までの間に残存する残存遊技球数が、前記単位貸球数の整数倍のみとなるように前記誘導切替部より下流側の前記誘導樋長さ及び径、前記遊技球通路の長さ及び径、並びに前記球停止位置の設置位置が決定されたことを特徴とする弾球遊技機。」と訂正する。
　
イ．訂正事項ｂ
　特許明細書の段落番号【０００８】の記載を、「【課題を解決するための手段】すなわち、請求項１の発明は、払出用の遊技球を貯留する貯留タンクと、前記貯留タンクから遊技球を流下させる誘導樋と、前記誘導樋に連通する遊技球通路を有し、前記誘導樋を流下してきた遊技球を前記遊技球通路に設けた球停止位置で一旦停止させ、前記球停止位置を介して遊技球を払い出すように構成され、貸球払出操作手段の一の払出操作に対して予め設定された遊技球の払出個数を単位貸球数として、遊技球を払い出す貸球払出手段と、前記誘導樋を流下してきた遊技球を、前記貸球払出手段より上流の誘導樋に設けられた誘導切替部で、前記貸球払出手段への誘導又は誘導切替部より上流の遊技球を強制的に排出する球抜樋への誘導に切り替える誘導切替手段と、前記貸球払出手段から前記球停止位置を介して払い出された払出遊技球の個数をカウントする払出遊技球検出センサとを有し、前記払出遊技球検出センサにより前記貸球払出手段から払い出される払出遊技球の個数の不足が検出された場合にはエラー動作が発生する弾球遊技機において、前記誘導切替手段により遊技球の誘導が球抜樋への誘導に切り替えられて誘導切替部より上流の遊技球が排出された際に、前記誘導切替部から貸球払出手段の球停止位置までの間に残存する残存遊技球数が、前記単位貸球数の整数倍のみとなるように前記誘導切替部より下流側の前記誘導樋長さ及び径、前記遊技球通路の長さ及び径、並びに前記球停止位置の設置位置が決定されたことを特徴とする。」と訂正する。
　
ウ．訂正事項ｃ
　特許明細書の段落番号【００３６】に記載の「払出遊技球検出センサー１４５」を、「払出遊技球検出センサ１４５」と訂正する。
　
エ．訂正事項ｄ
　特許明細書の段落番号【００３６】に記載の「フォトセンサー等」を、「フォトセンサ等」と訂正する。
　
オ．訂正事項ｅ
　特許明細書の段落番号【００５６】の記載を、「【発明の効果】以上図示し説明したように、請求項１に係る弾球遊技機によれば、遊技機メーカーにおける検査（特に払出装置動作検査）終了後や遊技店による故障メンテナンス時等で、遊技機内の遊技球を全て抜き出す必要がある場合において、遊技球の誘導切り替えによって誘導切替部より上流の遊技球が排出された後に、誘導切替部から貸球払出手段の球停止位置までの間に残存する残存遊技球が、貸球払出操作手段の一の払出操作に対して予め設定された単位貸球数の整数倍のみとなるように前記誘導切替部より下流側の誘導樋長さ及び径、遊技球通路の長さ及び径、並びに前記球停止位置の設置位置が決定された構成されているため、その後、貸球払出操作手段の操作や、外部払出指令装置からの払出指令によって残存遊技球を排出させる際に、最後まで払出遊技球の不足が検出されず、エラーなく合理的に残存遊技球の抜き取り作業を行うことができる。」と訂正する。
　
２．訂正の目的の適否、新規事項の有無及び拡張・変更の存否
（１）上記訂正事項ａは、請求項１において、
ア．貸球払出手段について、「誘導樋に連通する遊技球通路を有し、」球停止位置が「前記遊技球通路に設けた」ものであり、遊技球を「前記球停止位置を介して」「払い出すように構成され」たものであることに限定し、
イ．弾球遊技機が「前記貸球払出手段から前記球停止位置を介して払い出された払出遊技球の個数をカウントする払出遊技球検出センサとを有し、前記払出遊技球検出センサにより前記貸球払出手段から払い出される払出遊技球の個数の不足が検出された場合にはエラー動作が発生する」ものであることに限定し、
ウ．「残球遊技球数」を実施例の記載と整合させるために「残存遊技球数」と訂正し、
エ．残存遊技球数を単位貸球数の整数倍のみとする構成について、「前記誘導切替部より下流側の前記誘導樋長さ及び径、前記遊技球通路の長さ及び径、並びに前記球停止位置の設置位置が決定された」ものであることに限定するものであるから、
上記訂正事項ａは、特許請求の範囲の減縮及び明りょうでない記載の釈明を目的とした明細書の訂正に該当する。
　そして、上記ア．は本件特許明細書の段落番号【００３６】及び【００３８】の記載、上記エ．は同【００４９】の記載にそれぞれ基づくものであるから、新規事項の追加に該当しない。
　さらに、上記イ．は同【０００３】ないし【０００６】、【００３６】、【００３８】、【００４１】、【００５２】及び【００５６】の記載、並びに図面図１１の記載に基づくものである。
　払出遊技球検出センサについて、段落番号【００３８】に「貸球ストッパー１４７が回動して非突出状態となり、遊技球が払い出される。また同時に、払出遊技球検出センサ１４５によって払出遊技球のカウントを行う。」と記載され、図面図１１に記載された貸球ストッパー１４７及び払出遊技球検出センサ１４５の位置関係は、貸球ストッパー１４７の下流側に払出遊技球検出センサ１４５が位置するものと認められるので、本件特許明細書及び図面には、「貸球払出手段から前記球停止位置を介して払い出された払出遊技球の個数をカウントする払出遊技球検出センサ」が記載されていると認められる。
　また、エラー動作に関連して、段落番号【０００３】に「前記払出遊技球検出センサにおいて、払出遊技球の個数が不足している場合にはエラーとなり、エラー報知手段によりエラー報知したり、払出装置の動作を停止させたりして、球不足による弊害が波及しないように構成されている。」、同【０００６】に「払出遊技球検出センサによって払出遊技球の不足が検出されてエラーとなり、前記エラー動作が発生してしまう。このようなエラー動作が発生した場合、払出装置の停止状態を解除したり、払出装置を強制的に作動させたり、エラー状態を解除したりする等の面倒な作業が必要となり、球抜き作業に多大なる労力を費していた。」、同【００４１】に「貸球払出装置１４０及び賞球払出装置１６０の払出遊技球検出センサ１４５，１６５において、払出遊技球の個数が不足している場合にはエラーとなり、エラー報知手段によりエラー報知したり、払出装置の動作を停止させたりして、球不足による弊害が波及しないように構成されている。」との記載があり、エラー報知、払出装置の動作停止はエラー動作の例示として記載され、エラー動作の内容としては一般的にエラー発生時にエラーに対処するために自動的に行われる事項を含み、その内容を特に限定するものではないと認められるので、本件特許明細書には、「前記払出遊技球検出センサにより前記貸球払出手段から払い出される払出遊技球の個数の不足が検出された場合にはエラー動作が発生する弾球遊技機」が記載されていると認められる。
　よって、上記イ．は新規事項の追加に該当しない。
　したがって、上記訂正事項ａは、新規事項の追加に該当せず、実質上特許請求の範囲を拡張し、又は変更するものではない。
　
（２）上記訂正事項ｂ、ｅは、上記訂正事項ａと整合を図るものであるから、明りょうでない記載の釈明を目的とした明細書の訂正に該当し、新規事項の追加に該当せず、実質上特許請求の範囲を拡張し、又は変更するものではない。
　
（３）上記訂正事項ｃ、ｄは、用語の統一を図るものであるから、明りょうでない記載の釈明を目的とした明細書の訂正に該当し、新規事項の追加に該当せず、実質上特許請求の範囲を拡張し、又は変更するものではない。
　
３．むすび
　以上のとおりであるから、上記訂正は、特許法第１２０条の４第２項及び同条第３項において準用する特許法第１２６条第２項及び第３項の規定に適合するので、当該訂正を認める。
　
第３．特許異議の申立てについての判断
１．本件の請求項１ないし６に係る発明
　上記第２．で示したように上記訂正が認められるから、本件の請求項１ないし６に係る発明（以下、「本件発明１ないし６」という。）は、上記訂正に係る訂正明細書の特許請求の範囲の請求項１ないし６に記載された事項により特定される以下のとおりのものである。
　
【請求項１】　払出用の遊技球を貯留する貯留タンクと、前記貯留タンクから遊技球を流下させる誘導樋と、前記誘導樋に連通する遊技球通路を有し、前記誘導樋を流下してきた遊技球を前記遊技球通路に設けた球停止位置で一旦停止させ、前記球停止位置を介して遊技球を払い出すように構成され、貸球払出操作手段の一の払出操作に対して予め設定された遊技球の払出個数を単位貸球数として、遊技球を払い出す貸球払出手段と、前記誘導樋を流下してきた遊技球を、前記貸球払出手段より上流の誘導樋に設けられた誘導切替部で、前記貸球払出手段への誘導又は誘導切替部より上流の遊技球を強制的に排出する球抜樋への誘導に切り替える誘導切替手段と、前記貸球払出手段から前記球停止位置を介して払い出された払出遊技球の個数をカウントする払出遊技球検出センサとを有し、前記払出遊技球検出センサにより前記貸球払出手段から払い出される払出遊技球の個数の不足が検出された場合にはエラー動作が発生する弾球遊技機において、前記誘導切替手段により遊技球の誘導が球抜樋への誘導に切り替えられて誘導切替部より上流の遊技球が排出された際に、前記誘導切替部から貸球払出手段の球停止位置までの間に残存する残存遊技球数が、前記単位貸球数の整数倍のみとなるように前記誘導切替部より下流側の前記誘導樋長さ及び径、前記遊技球通路の長さ及び径、並びに前記球停止位置の設置位置が決定されたことを特徴とする弾球遊技機。
　
【請求項２】　整数倍が１倍であることを特徴とする請求項１に記載の弾球遊技機。
　
【請求項３】　整数倍が２倍以上であることを特徴とする請求項１に記載の
弾球遊技機。
　
【請求項４】　貸球払出手段が賞球払出手段を兼ね、賞球払出条件が成立した場合には、前記貸球払出手段より賞品球を払い出すことを特徴とする請求項１ないし３のいずれかに記載の弾球遊技機。
　
【請求項５】　貸球払出操作手段は、貸球払出手段に接続され、記憶媒体の払出可能遊技球情報を読み込むと共に、前記記憶媒体に払出可能遊技球情報がありかつ一の払出操作がなされた場合に貸球払出手段に単位貸球数の遊技球の払出指令を出力する記憶媒体読取ユニットからなり、該記憶媒体読取ユニットの払出指令により前記貸球払出手段に遊技球の払出動作を行わせることを特徴とする請求項１ないし４のいずれかに記載の弾球遊技機。
　
【請求項６】　貸球払出手段に遊技機外部から外部払出指令装置を接続し、該外部払出指令装置から一の払出指令を出力する毎に、前記貸球払出手段に単位貸球数の遊技球の払出動作を行わせるようになっていることを特徴とする請求項１ないし５のいずれかに記載の弾球遊技機。
　
２．特許異議申立て理由の概要
（１）申立人・済藤隆義は、甲第１号証（特開２０００−１３５３６４号公報）及び甲第２号証（特許第２７６９６６５号公報）を提出し、訂正前の本件特許の請求項１ないし６に係る発明は、当業者が甲第１及び２号証に記載された各発明に基いてそれぞれ容易に発明をすることができたものであるから、その特許は、特許法第２９条第２項の規定に違反してなされたものであり、また、訂正前の本件特許は、特許法第３６条第６項第１号及び第２号に規定する要件を満たしていない特許出願に対してなされたものであり、取り消されるべきものである、旨主張している。
　
（２）申立人・町田彬は、甲第１号証（特開平１０−８０５４６号公報）、甲第２号証（特開２０００−７０５００号公報）、甲第３号証（特開２０００−２４５９２６号公報）、甲第４号証（特開２０００−２５４３２５号公報）、甲第５号証（特開２０００−８４２０６号公報）、甲第６号証（特開平９−２９４８５４号公報）及び甲第７号証（特開２００１−２５２４３９号公報）を提出し、訂正前の本件特許の請求項１ないし５に係る発明は、当業者が甲第１ないし５号証に記載された各発明に基いて、訂正前の本件特許の請求項６に係る発明は、当業者が甲第１ないし６号証に記載された各発明に基いてそれぞれ容易に発明をすることができたものであるから、その特許は、特許法第２９条第２項の規定に違反してなされたものであり、また、訂正前の本件特許の請求項１ないし６に係る発明は、甲第７号証に記載された発明と同一であり、発明者及び出願人のいずれもが異なるものであるから、その特許は、特許法第２９条の２規定に違反してなされたものであり、取り消されるべきものである、旨主張している。
　
３．取消理由の概要
　当審が平成１６年５月１４日付けで通知した取消理由は、本件訂正前の請求項１ないし６に係る発明の特許は、特許法第２９条の２の規定に違反してされたものであり、また、特許法第３６条第６項第１号及び第２号の要件を満たしていない特許出願に対してなされたものであるから、いずれも取り消されるべきものであるというものである。
　
４．特許法第２９条の２について
（１）先願明細書記載の発明
先願ア：特願２０００―６６０５７号（特開２００１−２５２４３９号）
　　　　（申立人・町田彬の提出した甲第７号証）
　上記先願アの願書に最初に添付した明細書及び図面（以下、「先願ア当初明細書」という。）には、次の事項が記載されている。
（ア−１）「またパチンコ機１の内部から遊技球を排出するための排出口５ｃが開設されている。左端には、複数の長孔を有するスピーカ面５ａが形成され、その裏面には、音量スイッチ基板１２（図１２参照）が設けられている。パチンコ機１の左端側には、プリペイドカードユニット１３が装着されている。」（公報第５ページ第７欄第１７〜２２行）
（ア−２）「この機構盤１０２の上部の左側には、タンク球切れ検知スイッチ１０４をタンク底部に備えた賞球タンク１０５と、この賞球タンク１０５に接続されるタンクレール１０６とが取り付けられている。このタンクレール１０６は前記機構盤１０２の右側部分において下方へ方向変換され、賞球タンク１０５に貯留されている補給球を下方へ流下させる。」（公報第６ページ第９欄第４２〜４８行）
（ア−３）「【００３７】　図４〜図８にその詳細を示すように、下方へ方向変換されたタンクレール１０６の左側には補給球切れ検出スイッチ１０７が設置されている。」（公報第６ページ第９欄第４９行〜第１０欄第１行）
（ア−４）「【００３８】　この補給球切れ検出スイッチ１０７の直近下部には、・・・球抜きレバー１０９ｂを備えた球抜き装置１０９が設置されている。・・・そして、補給球Ｔをタンクレール１０６から排出しないときには球抜きレバー１０９ｂの前面壁部１０９ｃがタンクレール１０６と一体となる。また、補給球Ｔをタンクレール１０６から排出するときにはピン１０９ａ接点を枢支点として球抜きレバー１０９ｂが上方へ旋回することにより、その前面壁部１０９ｃがタンクレール１０６から離れて補給球Ｔが流下する出口となる。この出口を経た補給球Ｔは島設備（図示略）へ排出される。」（公報第６ページ第１０欄第１７〜３２行）
（ア−５）「【００３９】　このタンクレール１０６の末端部分には補給球通路１１０が接続され、この補給球通路１１０は賞球・球貸し装置１１１に接続されている。」（公報第６ページ第１０欄第３３〜３５行）
（ア−６）「【００４２】　図９〜図１１には賞球・球貸し装置１１１の内部構造が例示されている。まず、図９に示すように、賞球・球貸し装置１１１は、ガイドレール２２３上を流下される賞球あるいは貸し球を受け止め、この賞球あるいは貸し球を１個宛払い出すカム２１０と、・・・とから構成されている。」（公報第７ページ第１１欄第３０〜４２行）
（ア−７）「この場合、カム軸２１１が１２０度回転されれば、各球通路２１８においてそれぞれ１個、合計２個の賞球あるいは貸し球Ｔが、またカム軸２１１が１回転されれば、それぞれ３個、合計６個の賞球あるいは貸し球Ｔが払い出されることになる。また、賞球・球貸し装置１１１の出側において各球通路２１８は１列に統合され（図４（ｂ）参照）、それぞれ払い出された賞球あるいは貸し球Ｔは１列状となって前記振り分け装置１１４の賞球排出通路１１２あるいは球貸し排出通路１１３へ排出される。」（公報第７ページ第１２欄第１９〜２９行）
（ア−８）「【００４７】　上述のパチンコ機１において、その裏面側の賞球タンク１０５、タンクレール１０６、補給球通路１１０及び賞球・球貸し装置１１１から全ての補給球Ｔを抜く場合がある。・・・【００４８】　この場合、図４（ａ）に示すように補給球Ｔはガイドレール１０６、補給球通路１１０及び賞球・球貸し装置１１１内にほぼ並列状態で残っている。まず、ピン１０９ａ接点を枢支点として球抜きレバー１０９ｂを上方へ旋回させて、その前面壁部１０９ｃをタンクレール１０６から離して補給球Ｔが流下する出口とする（図５参照）。したがって、賞球タンク１０５及びタンクレール１０６内に残っている補給球Ｔはこの出口から排出され、この出口を経た補給球Ｔは島設備へ排出される。」（公報第８ページ第１３欄第１〜１８行）
（ア−９）「【００４９】　このため、補給球通路１１０及び賞球・球貸し装置１１１内に残っている補給球Ｔ（通常２５球とされている：貸し球１回分に相当）を排出するため、メンテナンスレバー１０８を作動させることになる。」（公報第８ページ第１３欄第２５〜２８行）
（ア−１０）「一方、タンクレール１０６の上方に位置する右端の隅角部には、電源受電基板１２０及び、大当り、発射装置制御、球切れ、扉開放、賞球、球貸し用等の情報を遊技店の集中管理装置（図示略）に伝えるための遊技機枠用外部接続端子を備えた外部情報端子基板１２１、遊技状態に応じてＬＥＤの点灯表示、点滅表示、消灯表示等の表示形態を司る表示ＬＥＤ中継基板１２２、同じくランプの点灯表示、点滅表示、消灯表示等の表示形態を司る効果ランプ中継基板１２３が機構盤１０２に取り付けられ、これらの基板１２０、１２１、１２２、１２３の各々のコネクター接続端子に対応する部分に窓を開口したカバー１２０ｃ、１２１ｃ、１２２ｃ、１２３ｃにより、これらの基板１２０、１２１、１２２、１２３が被われている。」（公報第８ページ第１４欄第３１〜４５行）
（ア−１１）図面図１に本発明の一実施例たるパチンコ機の正面図が記載されている。（公報第１２ページ）
（ア−１２）図面図２に遊技盤の正面図が記載されている。（公報第１１ページ）
（ア−１３）図面図３にパチンコ機の裏面概略図が記載されている。（公報第１２ページ）
（ア−１４）図面図４にパチンコ機の一部切り欠き拡大平面図とその矢視図が記載されている。（公報第１３ページ）
（ア−１５）図面図５にパチンコ機裏面の作動説明図とその矢視図が記載されている。（公報第１３ページ）
（ア−１６）図面図６にパチンコ機裏面の作動説明図とその矢視図が記載されている。（公報第１４ページ）
（ア−１７）図面図７にパチンコ機裏面の作動説明図が記載されている。（公報第１４ページ）
（ア−１８）図面図８に振り分け装置の作動説明図が記載されている。（公報第１１ページ）
（ア−１９）図面図９に賞球・玉貸し装置の説明図が記載されている。（公報第１２ページ）
（ア−２０）図面図１０に賞球・玉貸し装置の構造説明図が記載されている。（公報第１３ページ）
（ア−２１）図面図１１に賞球・玉貸し装置の矢視断面図が記載されている。（公報第１４ページ）
　
　上記記載事項（ア−１）ないし（ア−２１）から、先願ア当初明細書には、次の発明（以下、「先願ア発明」という。）が記載されているものと認められる。
「補給球が貯留されている賞球タンク１０５と、前記賞球タンク１０５に貯留されている補給球を下方へ流下させるタンクレール１０６と、前記タンクレールにレール１０６の末端部分に接続された補給球通路１１０と、前記補給球通路１１０に接続され、ガイドレール２２３上を流下される賞球あるいは貸し球を受け止め、この賞球あるいは貸し球を１個宛払い出すカム２１０を有し、１回分の貸し球として２５球を払い出す賞球・球貸し装置１１１と、タンクレール１０６から補給球を島設備へ排出させる球抜き装置１０９と、前記賞球・球貸し装置１１１の直下に配置される振り分け装置１１４の球貸し排出通路１１３の出側付近に設置され、球貸し個数を検知する球貸し排出通路検知スイッチ１１３ｓとを有し、左端側にプリペイドカードユニット１３が装着されたパチンコ機１において、
前記球抜き装置１０９により前記賞球タンク１０５及び前記タンクレール１０６に残っている補給球を島設備へ排出した際に、前記補給球通路１１０及び前記賞球・球貸し装置１１１内に残っている補給球数が、貸し球１回分に相当する２５球とされているパチンコ機１。」
　
（２）対比・判断
ア．本件発明１について
　本件発明１と先願ア発明とを対比すると、先願ア発明における
「補給球」、「賞球タンク１０５」、「タンクレール１０６及び補給球通路１１０」、「ガイドレール２２３」、「カム２１０」、「１回分の貸し球」、「賞球・球貸し装置１１１」、「タンクレール１０６から補給球を島設備へ排出させる」、「球抜き装置１０９」、「球貸し排出通路検知スイッチ１１３ｓ」、「前記球抜き装置１０９により前記賞球タンク１０５及び前記タンクレール１０６に残っている補給球を島設備へ排出した際に、前記補給球通路１１０及び前記賞球・球貸し装置１１１内に残っている補給球数」、「パチンコ機１」
が、本件発明１における
「払出用の遊技球」、「貯留タンク」、「誘導樋」、「遊技球通路」、「球停止位置」、「単位貸球」、「貸球払出手段」、「誘導切替部より上流の遊技球を強制的に排出する球抜樋への誘導に切り替える」、「誘導切替手段」、「払出遊技球検出センサ」、「前記誘導切替手段により遊技球の誘導が球抜樋への誘導に切り替えられて誘導切替部より上流の遊技球が排出された際に、前記誘導切替部から貸球払出手段の球停止位置までの間に残存する残存遊技球数」、「弾球遊技機」
にそれぞれ対応する。
　先願ア発明は、プリペイドカードユニット１３を備え、賞球・球貸し装置１１１により貸し球を払い出すものであるから、本件発明１の貸球払出操作手段に対応する構成を備えていることは明らかである。
　先願ア発明における「貸し球１回分に相当する２５球」は、貸し球１回分の１倍であり、球貸し１回分の整数倍であるから、先願ア発明の残存遊技球数は単位貸球数の整数倍（１倍）である。
　先願ア発明は、前記球抜き装置１０９により前記賞球タンク１０５及び前記タンクレール１０６に残っている補給球を島設備へ排出した際に、前記補給球通路１１０及び前記賞球・球貸し装置１１１内に残っている補給球数が貸し球１回分に相当する２５球となるようにするために、新たな構成を付加するものではないから、前記補給球通路１１０及び前記賞球・球貸し装置１１１内に残っている補給球数が貸し球１回分に相当する２５球となるようにするために、球抜き装置１０９より下流側の補給球通路１１０及びガイドレール２２３の寸法、並びにカム２１０の設置位置が決定されていることは明らかである。
　そうすると、本件発明１と先願ア発明は、以下の相違点ａで一応相違し、その余の点では一致すると認められる。
　
相違点ａ：本件発明１においては、前記払出遊技球検出センサにより前記貸球払出手段から払い出される払出遊技球の個数の不足が検出された場合にはエラー動作が発生するのに対して、先願ア発明はそのような構成を有していない点。
　
　上記相違点ａについて検討する。
　弾球遊技機において貸球要求に対して払出遊技球の不足を検出した場合にエラー動作を発生することが周知技術（例えば、特開平８−１０３５４６号公報、特開２０００−２２９１６９号公報、特開２０００−２６２７１８号公報参照。）であり、本件発明１は先願ア発明に単に上記周知技術を付加したものに過ぎないので、上記相違点ａは、設計上の微差である。
　したがって、本件発明１は先願ア発明と実質的に同一である。
　
イ．本件発明２について
　本件発明２は本件発明１における整数倍を１倍に限定するものである。
　本件発明２と先願ア発明とを対比すると、上記ア．で述べたように、先願ア発明における残存遊技球数は単位貸球数の１倍であるので、本件発明２と先願ア発明は、上記相違点ａで一応相違し、その余の点では一致すると認められる。
　上記相違点ａについては、上記ア．で検討したとおりである。
　したがって、本件発明２は先願ア発明と実質的に同一である。
　
ウ．本件発明３について
　本件発明３は本件発明１における整数倍を２倍以上に限定するものである。
　本件発明３と先願ア発明とを対比すると、上記ア．で述べたように、先願ア発明における残存遊技球数は単位貸球数の１倍であるので、本件発明３と先願ア発明は、上記相違点ａに加えて、以下の相違点ｂで一応相違し、その余の点では一致すると認められる。
相違点ｂ：残存遊技球数を単位貸球数の整数倍に規定するための整数が、本件発明１においては、２以上であるのに対して、先願ア発明においては、１である点。
　
　上記相違点ａについては、上記ア．で検討したとおりである。
　上記相違点ｂについて検討する。
　残存遊技球数は当業者が必要に応じて適宜設定し得る設計的事項であり、先願ア当初明細書に単位貸球数を基準に設定する旨の記載があることから、上記相違点ｂは、設計上の微差にすぎない。
　したがって、本件発明３は先願ア発明と実質的に同一である。
　
エ．本件発明４について
　本件発明４は、請求項１ないし３の何れかを引用するものであるが、請求項２を引用した場合について検討する。
　本件発明４と先願ア発明とを対比すると、先願ア発明における賞球・球貸し装置１１１は、貸球の払出しに加えて賞球の払出しをも行うものであり、賞球払出条件が成立した場合に賞球を払い出すことは明らかであるので、本件発明４と先願ア発明は、上記相違点ａで一応相違し、その余の点では一致すると認められる。
　上記相違点ａについては、上記ア．で検討したとおりである。
　したがって、本件発明４は先願ア発明と実質的に同一である。
　
オ．本件発明５について
　本件発明５は、請求項１ないし４の何れかを引用するものであるが、請求項２を引用した場合について検討する。
　本件発明５と先願ア発明とを対比すると、先願ア発明における「プリペイドカードユニット１３」が、本件発明５における「記憶媒体読取ユニット」に対応するので、本件発明５と先願ア発明は、上記相違点ａに加えて、以下の相違点ｃで一応相違し、その余の点では一致すると認められる。
　
相違点ｃ：記憶媒体読取ユニットが、本件発明１においては、貸球払出手段に接続され、記憶媒体の払出可能遊技球情報を読み込むと共に、前記記憶媒体に払出可能遊技球情報がありかつ一の払出操作がなされた場合に貸球払出手段に単位貸球数の遊技球の払出指令を出力し、前記貸球払出手段に遊技球の払出動作を行わせるものであるのに対して、先願ア発明においては、そのような構成を有するものであるかが不明である点。
　
　上記相違点ａについては、上記ア．で検討したとおりである。
　上記相違点ｃについて検討する。
　弾球遊技機において、貸球払出手段に接続され、記憶媒体の払出可能遊技球情報を読み込むと共に、前記記憶媒体に払出可能遊技球情報がありかつ一の払出操作がなされた場合に貸球払出手段に単位貸球数の遊技球の払出指令を出力し、前記貸球払出手段に遊技球の払出動作を行わせる記憶媒体読取ユニットは周知（例えば、特開平９−２９４８５４号公報参照。）であり、上記相違点ｃは実質的な相違点とは認められない。
　したがって、本件発明５は先願ア発明と実質的に同一である。
　
カ．本件発明６について
　本件発明６と先願ア発明とを対比すると、両者は少なくとも以下の相違点ｄにおいて相違する。
　
相違点ｄ：本件発明６においては、一の払出指令を出力する毎に、前記貸球払出手段に単位貸球数の遊技球の払出動作を行わせる外部払出指令装置を、遊技機外部から貸球払出手段に接続するように構成されているのに対し、先願ア発明においては、そのような構成を有していない点。
　
　そして、上記相違点ｄにおける本件発明６が有する構成は、周知技術・慣用技術の付加・転換であるとは認められないので、本件発明６は先願ア発明と同一であるとすることができない。
　
（３）発明者及び出願人について
　本件発明１ないし５の発明者は本件特許出願前の特許出願である先願アに係る上記の発明をした者と同一ではなく、また本件出願の時において、その出願人が上記先願アの出願人と同一でもない。
　
（４）申立人の主張について
ア．申立人・町田彬の主張について
　申立人・町田彬は、その特許異議申立書第４５ページ第１６行〜第４６ページ第１６行において、外部払出指令装置から一の払出指令を出力する毎に、前記貸球払出手段に単位貸球数の遊技球の払出動作を行わせることは、その甲第６号証（特開平９−２９４８５４号公報）の第５ページ第７欄第４２〜５０行及び図４に開示されるように周知技術であるから、本件発明６はその甲第７号証（先願ア当初明細書）に記載された発明と実質的に同一である旨主張している。
　しかしながら、上記甲第６号証には、玉抜スイッチ２４３をパチンコ遊技機の外部から遠隔操作できるようにする旨の記載は認められるものの、玉抜スイッチ２４３の一の操作毎に単位貸球数の遊技球の払出動作を行わせることが開示されているとは認められない。
　また、上記甲第６号証に記載されたカードユニットは、本件発明６における貸球払出操作手段に対応するものであり、外部払出指令装置に対応するものとは認められない。
　よって、上記申立人の主張は採用できない。
　
５．特許法第２９条第２項について
（１）刊行物記載の発明
刊行物ア：特開２０００−１３５３６４号公報
　　　　　（申立人・済藤隆義の提出した甲第１号証）
刊行物イ：特許第２７６９６６５号公報（同甲第２号証）
刊行物ウ：特開平１０−８０５４６号公報
　　　　　（申立人・町田彬の提出した甲第１号証）
刊行物エ：特開２０００−７０５００号公報（同甲第２号証）
刊行物オ：特開２０００−２４５９２６号公報（同甲第３号証）
刊行物カ：特開２０００−２５４３２５号公報（同甲第４号証）
刊行物キ：特開２０００−８４２０６号公報（同甲第５号証）
刊行物ク：特開平９−２９４８５４号公報（同甲第６号証）
　
ア．上記刊行物アには、次の事項が記載されている。
（ア−１）「【００１３】図８は本発明の機構が搭載される部分を示すパチンコ機１の一部を断面により示した背面図である。前面枠22の背面には金属板で浅い箱型に形成した機枠板38が取付けてあり、遊技盤３はガラス枠25および上受皿10を開放して、前面側から図示しないロック装置により機枠板38と着脱可能になっている。機枠板38の背面には上タンク39、下タンク40、機構枠体41が取付けられており、この機構枠体41は図示しないヒンジにより機枠板38に着脱可能に取付けられている。この機構枠体41には賞品球の通路である誘導路42が設けられている。この誘導路42には上方部位から賞品球確認装置43、 賞品球および貸出球の排出防止装置44を含む賞品球排出装置45、そして、ストッパ機構46が設けられている。」（第３ページ第３欄第２２〜３４行）
（ア−２）「【００１５】また、ストッパ機構46には賞品球および貸出球をカウントするための計数装置47が設けられており、誘導路42内を降下して上受皿10の払出口11に入る賞品球等の数を管理するようになっている。また、誘導路42の下部側に配設した計数装置47の上流側には球抜部材48が取付けられ、常に計数装置47側に図示しないロック装置によりロックされて、賞品球および貸出球の排出が行なえるようになっている。そして、遊技店の終了時等に上タンク39の遊技球を抜く場合は前記図示しないロック装置のロックを解除して球抜部材48を球抜き樋49側に揺動させて球抜きを行なうようにしている。誘導路42は上受皿10の払出口11への接続樋50と上受皿10のあふれ球が流下する下受皿流下樋51とに接続されている。」（第３ページ第３欄第４８行〜第４欄第１０行）
（ア−３）「【００４６】図14に示すように、賞品球数が決定されるとS13 において賞品球排出用ソレノイド56（SOL1）を突出作動させる（図24(h) 参照）ことにより賞品球の流下を開始させるので、賞品球カウントスイッチ57（SW2)が賞品球のカウントを開始する（図24(i) 参照）。S14 では賞品球カウントスイッチ57（SW2)がONされたか否かが判定されONが検出されないと、ONが検出される迄待機し、ON が検出されると、S15 でＣＰＵに内蔵されている賞品球カウンタ(CN1) （図示せず）に「１」加算し、次のS16 では賞品球カウンタ（CN2)に「１」加算する。そして、S17 において賞品球カウンタ(CN1) の値がS12-5 で決定された賞品球数ｎと一致したか否が判定され、一致していない場合にはS14 〜S17 の処理が繰り返される。
【００４７】S17 において、賞品球カウンタ(CN1) の値が賞品球数ｎと一致したと判定されると、S18 で賞品球排出用ソレノイド56(SOL1)を吸引動作させること（図24(h)’参照）により賞品球の流下かを停止させ、次のS19 で賞品球カウンタ(CN1) クリアし、S20 では入賞カウント用ソレノイド90（SOL2）を吸引動作する（図24(c) ’参照) ことにより入賞球を機外に排出し、入賞音を停止、入賞ランプ７(L1)を消灯する。そして、S21 でBUSY信号をOFF （図24(b) ’参照）し、S1へ戻る。」（第７ページ第１１欄第３９行〜第１２欄第１１行）
（ア−４）「【００４８】S1において、カードリーダライタ32から球貸し信号が入力された場合、図15に示すように、S23 へ進み、BUSY信号をONし、次のS24 で賞品球確認スイッチ55(SW1) のON状態がＴ秒継続しているがを判定し、継続していなければＴ秒の継続を待ってS25 へ進む。S25 では球貸し音を発生開始し、次のS26 で賞品球排出用ソレノイド56(SOL1)を突出動作させるので球の流下が開始され、賞品球カウントスイッチ57(Sw2) カウントを開始する。S27で賞品球カウントスイッチ57(Sw2) がONされたか否かが判定され、ON検出がない場合は、ON検出されるまで待機し、ON検出されるとS28 で賞品球カウンタ(CN3) に「１」が加算される。
【００４９】次のS29 ではその賞品球カウンタ(CN3) の値が「25（予め設定された１単位の貸球数）」に達したか否かが判定され、達していない場合にはS27 〜S29 の処理が繰り返される。「25」に達している場合、S30 に進み、賞品球排出用ソレノイド56(SOL1)を吸引動作することにより球の流出を停止させる。S31 では賞品球カウンタ(CN3) をクリアし、S32 で球貸し音を停止させ、S33 で管理コンピュータへの球貸し信号の出力処理を施し、S34 でBUSY信号をOFFシ、 球貸し処理が終了し、S1へ戻る。以後は上記の処理が繰り返される。」（第７ページ第１２欄第１２〜３３行）
　
イ．上記刊行物イには、次の事項が記載されている。
（イ−１）「【００１３】この可変表示装置１４には、中央横一列と斜め対角線上とで合計３本の当りライン（組合せ有効列）が定められている。可変表示装置１４の停止時に３本の当り列のうち或る当り列上で特定の識別情報の組合せ（たとえば７７７）が揃った場合には大当りとなり、可変入賞球装置３のソレノイド５が励磁されて開閉板４が開成され、打玉が入賞しやすい遊技者にとって有利な第１の状態となる。」（第４ページ第７欄第３〜１０行）
（イ−２）「【００１５】この可変入賞球装置３内に入賞したパチンコ玉が特定入賞口（Ｖポケット）６に入賞すれば、その特定入賞玉が特定入賞玉検出スイッチ７により検出され、その検出出力に基づいて、可変入賞球装置３の第１の状態が終了した後再度開閉板４が開成されて第１の状態の繰返し継続制御が行なわれる。この繰返し継続制御の上限回数はたとえば１０回に定められている。この繰返し継続制御の回数がラッキーナンバー・回数表示ＬＥＤとしての７セグメント表示器１１により表示される。また、可変入賞球装置３の第２の状態としては、打玉が全く入賞しないのでなく打玉が入賞可能であるが入賞困難な状態であってもよい。」（第４ぺージ第７欄第２０〜３１行）
（イ−３）「【００４６】玉通路６４ａ，６４ｂのそれぞれには玉感知部材９２０ａ，９２０ｂが回動自在に設けられている。玉誘導レール６７からパチンコ玉が供給されていない状態では、玉感知部材６２０ａ，９２０ｂが図示時計回り方向に回動して破線で示す姿勢となり、この玉感知部材９２０ａ，９２０ｂの回動を検出するレール玉切れスイッチ６８ａ，６８ｂがＯＦＦとなる。一方、玉誘導レール６７からパチンコ玉が供給されれば、その供給されてきたパチンコ玉の自重により玉感知部材９２０ａ，９２０ｂが反時計回り方向に回動し、図示実線に示す姿勢となる。するとレール玉切れスイッチ６８ａ，６８ｂがＯＮとなる。この玉感知部材９２０ａ，９２０ｂから玉払出器６３までの間に所定個数（たとえば１５個）以上の玉が存在できるようになっている。すなわち、玉切れ検出装置（玉検知部材９２０ａ，９２０ｂ，レール玉切れスイッチ６８ａ，６８ｂ）による玉切れ検出位置と玉払出装置（玉払出機６３）との間に、入賞玉１個に対し前記玉払出装置が払出す最大個数（たとえば１５個）以上の玉数が存在するように構成されている。
【００４７】玉払出器６３の下方には金属カバー板５５が設けられている。この金属カバー板は、玉の流下を誘導するための起立壁部５５ａ，５５ｂが設けられており、玉払出器６３により払出されたパチンコ玉がこの起立壁部５５ａ，５５ｂに誘導されてスムーズに下方に落下するように構成されている。この金属カバー板５５にはアース線５６が取付けられており、玉払出器６３により払出された玉が帯電している場合には、その玉がカバー板５５に接触することによりアースされて除電される。図中、４１９ａ，４１９ｂは払出口、８０５ａ，８０５ｂは玉送り通路、８８０ａ，８８０ｂは玉通路部材、４１は開口、８０６は玉圧受け部材である。」（第８ページ第１５欄第１１〜４１行）
（イ−４）「【００４８】図５は、玉送り部材８００の回転軸に対し直交する方向から見た横断面図である。玉払出器６３の玉入口８８４ａ，８８４ｂにパチンコ玉を供給する玉通路部材８８０ａ，８８０ｂは、玉入口８８４ａ，８８４ｂの高さ位置に合わせた形状をしている。玉払出器６３の玉入口８８４ａ，８８４ｂの少し下方部分では、玉圧緩和部材８８５が設けられており、玉通路６４ａ，６４ｂを通って供給されてきたパチンコ玉の玉圧がこの玉圧緩和部材８８５の形状部分に加えられ、玉送り通路８０５ａ，８０５ｂに加えられるパチンコ玉の玉圧が緩和される。
【００４９】玉圧緩和部材８８５内には、空間８８６が形成されており、投光器８０２ａ，半回転検出センサ８０２ｂの配線がこの空間８８６を通して外部に引き出されるように構成されている。玉送り部材８００の端部には、１対の凸部８８７と切込部が設けられており、この１対の凸部８８７の間が切欠８１３となる。そして、この１対の凸部８８７の間に投光器８０２ａが位置するように設けられている。図５に示す状態では、投光器８０２ａから投光された光は凸部８８７に遮られて半回転検出センサ８０２ｂに検出されないように構成されている。そして、玉送り部材８００が図５に示す状態から４５度回転することにより投光器８０２ａから投光された光が１対の凸部８８７の間を通って半回転検出センサ８０２ｂに到達する状態となる。結局、玉送り部材８００が半回転するごとに半回転検出センサ８０２ｂが投光器８０２ａからの投光を受光する状態となる。図中９１５はカバーであり、５４は金属板、５５は金属カバー板、４０は機構板である。」（第８ページ第１５欄第４２行〜第１６欄第２０行）
　
ウ．上記刊行物ウには、次の事項が記載されている。
（ウ−１）「【０００９】前記遊技盤６の表面には、前記発射レール２８から誘導された打玉を誘導するための誘導レール１０がほぼ円状に植立されている。そして、誘導レール１０によって囲まれた領域が遊技領域１１を構成するものである。」（第３ページ第３欄第１７〜２１行）
（ウ−２）「そして、開閉扉１５内に設けられた特定入賞口１５ａに入賞すると、再度上記した開放状態を繰り返し、特定入賞口１５ａに入賞玉が発生する毎に最高１０回繰り返すことができるようになっている。
【００１０】また、前記可変表示装置１２の左右両側、及び可変入賞球装置１４の上部には、前記回転ドラム１３ａ〜１３ｃの回転を許容する始動入賞口１６ａ〜１６Ｃが設けられている。この始動入賞口１６ａ〜１６ｃのうち可変入賞球装置１４の上部に設けられる始動入賞口１６ａに打玉が入賞すると、それによって払出される景品玉数は、他の入賞領域に打玉が入賞した際に払出される景品玉数よりも少なくなるように設定されている。
【００１１】更に、遊技領域１１には、前記可変入賞球装置１４の左右側方に通常入賞口１７ａ，１７ｂが設けられ、また、可変入賞球装置１４の左右下方にも通常入賞口１８ａ，１８ｂが設けられている。」（第３ページ第３欄第３１〜４６行）
（ウ−３）「なお、この実施形態では、後述するように、始動入賞口１６ａに打玉が入賞した場合には、７個の景品玉が払出され、他の入賞領域に打玉が入賞した場合には、１３個の景品玉が払出されるようになっている。もちろん、始動入賞口１６ａに入賞する確率に応じてこれらの払出される景品球数の設定を変えることは差し支えない。」（第３ページ第４欄第１６〜２０行）
（ウ−４）「【００２０】一方、機構板本体４２の後面側の構成について説明すると、その上部に景品玉タンク取付凹部４５が形成され、該景品玉タンク取付凹部４５に景品玉タンク４６が螺着固定される。景品玉タンク４６は、図示しない補給機構から補給される景品玉を貯留するものであり、図７に示すようにその内部構造が景品玉タンク４６内に貯留された景品玉を一方向に向って流下するように構成されるとともに、その流下下端に方形状の流下開口４７が開設されている。」（第４ページ第６欄第９〜１７行）
（ウ−５）「【００２１】景品玉タンク４６の下方には、景品玉を整列させるための第１の景品玉誘導樋４９と第２の景品玉誘導樋５０とが前後方向に重合して設けられている。この第１の景品玉誘導樋４９と第２の景品玉誘導樋５０とは、景品玉が自然流下するように傾斜して取り付けられる。」（第４ページ第６欄第２０〜２５行）
（ウ−６）「【００３１】第１の景品玉誘導樋４９及び第２の景品玉誘導樋５０の下流側には、屈曲樋８３が接続されるように取り付けられている。この屈曲樋８３は、第１の景品玉誘導樋４９及び第２の景品玉誘導樋５０を流下してきた景品玉の流下方向を１８０度転換させるとともに、連続して流下している景品玉の玉圧を弱めるためにある。屈曲樋８３の屈曲部には、選択機構としての玉抜レバー８４が設けられ、パチンコ遊技機１の前面から押ピンで押圧することにより玉抜レバー８４の係合部（図示せず）と屈曲樋８３の構成壁との係合が外れて玉圧により玉抜レバー８４が開放し、景品玉タンク４６及び第１の景品玉誘導樋４９、第２の景品玉誘導樋５０に貯留されていた景品玉が後述する玉抜通路９０を流下してパチンコ遊技機１外へ排出されるようになっている。」（第６ページ第９欄第４３行〜第１０欄第６行）
（ウ−７）「【００３３】また、屈曲樋８３の下流部には、ほぼ垂直状の垂直樋部８３ａが形成され、該垂直樋部８３ａの末端には、段差部８３ｂが形成されている。垂直樋部８３ａは、後述する景品玉収納筒９４ａ〜９４ｃに収納される景品玉数よりもやや多い数の景品玉が収納されるような長さに選ばれており、また、段差部８３ｂは、後述する景品玉ケース９２の上部玉ストッパー９６ａ，９６ｂがスムーズに動作するように玉圧を弱めるように作用しているものである。」（第６ページ第１０欄第３３〜４１行）
（ウ−８）「【００３５】前記屈曲樋８３の下流側には、景品玉排出機構としての景品玉ケース９２が配置される。この景品玉ケース９２は、取付板９５と景品玉収納筒９４ａ〜９４ｃと上部玉ストッパー９６ａ，９６ｂと下部玉ストッパー９８ａ，９８ｂと上下摺動部材１０２ａ，１０２ｂとから成る。」（第７ページ第１１欄第７〜１２行）
（ウ−９）「また、下部玉ストッパー９８ａ，９８ｂは、１つの支軸９９を中心にして揺動自在に設けられ、その上部に重錘の機能を兼用した当接ローラ１０１ａ，１０１ｂが設けられ、その下部に景品玉収納筒９４ａ〜９４ｃ内に出没するストッパー部１００ａ〜１００ｃが突設されている。そして、下部玉ストッパー９８ａ，９８ｂは、自重により常にストッパー部１００ａ〜１００ｃが景品玉収納筒９４ａ〜９４ｃに侵入するようになっているとともに、ストッパー部１００ａ〜１００ｃを段差状に突設することにより、景品玉収納筒９４ａ〜９４ｃへの上下方向の侵入位置を異ならせるようにしている。
【００３７】しかして、ストッパー部１００ａ，１００ｂは、下部玉ストッパー９８ａに突設されるとともに、景品玉収納筒９４ａ，９４ｂの出口を開閉するように作用し、ストッパー部１００ｃは、下部玉ストッパー９８ｂに突設されるとともに、景品玉収納筒９４ｃの出口を開閉するように作用する。なお、ストッパー部１００ａ〜１００ｃが突設される具体的な位置は、ストッパ−部１００ａが景品玉収納筒９４ａ内に６個の景品玉が収納されるような位置であり、ストッパ−部１００ｂ，１００ｃが景品玉収納筒９４ｂ，９４ｃ内に７個の景品玉が収納されるような位置である。」（第７ページ第１１欄第２５〜４７行）
（ウ−１０）「下部玉ストッパー９８ａ，９８ｂがフリーな状態になると、景品玉収納筒９４ａ〜９４ｃ内に収納されていた景品玉の玉圧によりストッパー部１００ａ〜１００ｃが押圧されて回動し、景品玉収納筒９４ａ〜９４ｃ内に収納されていた景品玉が前記景品玉排出通路９１に払出される。」（第７ページ第１２欄第３０〜３５行）
（ウ−１１）図面図１に第１実施形態に係る景品玉欠乏感知板の動作を示す概略図が記載されている。（第１５ページ）
（ウ−１２）図面図３にパチンコ遊技機の正面図が記載されている。（第１５ページ）
（ウ−１３）図面図４に遊技盤の裏面に取り付けられる入賞玉集合カバー体を示す背面概略図が記載されている。（第１５ページ）
（ウ−１４）図面図５にパチンコ遊技機の背面図が記載されている。（第１６ページ）
（ウ−１５）図面図７に景品玉タンク及び景品玉誘導樋の平面図が記載されている。（第１６ページ）
（ウ−１６）図面図１１に景品玉ケースの斜視図が記載されている。（第１６ページ）
（ウ−１７）図面図１３に景品玉ケース及び入賞玉処理機構の動作を示す背面概略図が記載されている。（第１８ページ）
（ウ−１８）図面図１４に景品玉ケース及び入賞玉処理機構の動作を示す背面概略図が記載されている。（第１８ページ）
　
エ．上記刊行物エには、次の事項が記載されている。
（エ−１）「【００２５】球排出ユニット３４は、球導出樋３３の球出口に接続して設けてあり、本願発明における球排出装置として機能する。この球排出ユニット３４は、排出制御装置４１によって動作が制御され、所要数の遊技球を賞球或いは貸し球として排出する。本実施形態における球排出ユニット３４は、賞球用の球流下路３６と貸し球用の球流下路３６とからなる２条の球流下路３６を備えている。」（第４ページ第６欄第２８〜３３行）
（エ−２）図面図２にパチンコ遊技機の背面図が記載されている。（第１６ページ）
　
オ．上記刊行物オには、次の事項が記載されている。
（オ−１）「【請求項７】  前記賞品球払い出し手段(41)を貸し球の払い出し用に兼用し、前記規定払い出し個数を球貸し時の１回の払い出し動作により払い出す貸し球払い出し個数と同じにしたことを特徴とする請求項１〜６の何れかに記載の弾球遊技機。」（第２ページ第２欄第１〜５行）
（オ−２）「【００４４】賞品球払い出し手段41が１回の払い出し動作で賞品球を払い出す規定払い出し個数は、２５個に限定されるものではない。しかし、自動球貸し機からの球貸し要求により、賞品球払い出し手段41が貸し球の払い出しを兼用する場合には、例えば１００円当たりの遊技球の貸し出し個数である２５個に規定払い出し個数を設定することが望ましい。即ち、１回の払い出し動作で賞品球を払い出す規定払い出し個数を、球貸し時に１回の払い出し動作で貸し球を払い出す貸し球払い出し個数と同じにすることが望ましい。」（第５ページ第８欄第４３行〜第６ページ第９欄第２行）
（オ−３）図面図２に本発明の実施形態を示す弾球遊技機の背面図が記載されている。（第７ページ）
　
カ．上記刊行物カには、次の事項が記載されている。
（カ−１）「【００９２】すなわち、本実施形態においては、電気的制御装置１１０の役物制御部１１１と球排出装置制御部１１２とが協働することにより賞遊技媒体付与制御手段として機能するので、役物制御部１１１より排出制御信号が入力された場合に、球排出装置制御部１１２はセーフ球に基づく賞球排出を球排出装置２５に行わせて、成立した賞に対応する賞遊技媒体を遊技者に付与でき、玉貸制御装置１０６と電気的制御装置１１０の球排出装置制御部１１２が協働することにより貸出遊技媒体付与制御手段として機能するので、玉貸制御部１０８より玉貸信号が入力された場合に、球排出装置制御部１１２はプリペイドカードの使用に基づく玉貸用の球排出を球排出装置２５に行わせ、遊技者の貸出操作に基づく所定数の貸出遊技媒体を付与できる。これにより、当該パチンコ機１における唯一の球排出手段たる球排出装置２５によって、セーフ球に基づく賞球排出動作と玉貸信号に基づく玉貸用の球排出動作とを行うことができる。」（第１０ページ第１８欄第２５〜４１行）
（カ−２）図面図３にパチンコ機の裏面図が記載されている。（第１５ページ）
（カ−３）図面図８にパチンコ機の構成概略を示す機能ブロック図が記載されている。（第１８ページ）
　
キ．上記刊行物キには、次の事項が記載されている。
（キ−１）「【００１２】ガイドレール２９によって円形に囲われた遊技部１２ａには、可変表示装置３０や複数の入賞口３１…等が設けられている。」（第３ページ第３欄第４１〜４３行）
（キ−２）「【００１６】一方、球タンク４４の底壁４４ａには下向きにスカート片４８が垂設されている。このスカート片４８は、図９に示したように、球タンク４４の底壁４４ａと、該球タンク４４から供給される景品球を流す導出樋４９との間の隙間を塞ぐことによって、景品球が団子状になって球詰まりを起こす、というようなトラブルを防止するためのものである。」（第３ページ第４欄第３７〜４３行）
（キ−３）「【００２０】球抜口５２の下には球抜き樋５１が臨んでいて、球抜口５２から落下する景品球が全てこの球抜き樋５１に流れ込む。図１６はその球抜き樋５１の斜視図である。球抜き樋５１はカバー部５１ａを一体に有しており、該カバー部５１ａで前記ロック部材５６をすっぽりと覆う。また、球抜き樋５１の下端は機構板１３側の球抜き樋６２に連通しており、球抜口５２から入った景品球が機構板１３の球抜き樋６２を通ってパチンコ機設置島内に排出される。」（第４ページ第５欄第３２〜４０行）
（キ−４）「【００２５】上記上方弁６６と下方弁６７を制御する摺動子６８は、球通路６５の外側に設けたレール枠６９に沿って上下方向に摺動するもので、該レール枠６９に嵌まる基板７０と、その基板７０上に突設した上凸部７１及び下凸部７２とから構成される。摺動子６８は常態で図１８実線の下降位置にある。この下降位置にある状態で、摺動子６８の上凸部７１が上方弁６６の後端に係合して球通路６５の球入口を開放すると共に、下凸部７２が下方弁６７のローラ６７ｂに当接して下方弁６７の回動を阻止し、球止め爪６７ａを球通路６５内に突出させて景品球を球通路６５内にプールする。」（第４ページ第６欄第３９〜４９行）
（キ−５）図面図１にパチンコ機の正面図が記載されている。（第７ページ）
（キ−６）図面図２にパチンコ機の裏面図が記載されている。（第７ページ）
（キ−７）図面図１１に景品球放出関連部品の主要部を示す断面図が記載されている。（第１０ページ）
（キ−８）図面図１４に球抜き装置を拡大して示す断面図が記載されている。（第１１ページ）
（キ−９）図面図１８に景品球ケースを示す拡大した断面図が記載されている。（第１２ページ）
　
ク．上記刊行物クには、次の事項が記載されている。
（ク−１）「【００２８】また、屈曲樋５５の近傍には、玉抜きを行なう際に操作される玉抜スイッチ２４３が設けられている。この玉抜スイッチ２４３は、プッシュスイッチであり、図１に示された前面枠２の外側に設けられたガラス扉枠（図示省略）に設けられた貫通穴に細い棒状の部材を差込んでこの玉抜スイッチ２４３を押圧することによりＯＮ状態になるものである。なお、この玉抜スイッチ２４３は、パチンコ遊技機の外部から遠隔操作できるような構成のものにしてもよい。この玉抜スイッチ２４３は、遊技場の営業終了時またはパチンコ遊技機の故障時等において遊技場の係員によって操作される。」（第５ページ第７欄第４２行〜第８欄第２行）
（ク−２）「【００３４】次に、玉払出装置６０を図６ないし図９に基づいて説明する。図６を参照して、玉払出装置６０は、筐体としてのケーシング６１ａ，６１ｂと、そのケーシング６１ａ，６１ｂ内部に設けられる払出モータ７１などから構成されている。」（第６ページ第９欄第１０〜１４行）
（ク−３）「【００５３】また、このパチンコ遊技機には、遊技玉を借り受けることが可能なカードユニット（図示せず）が隣接して設けられている。このカードユニットでは、遊技者がカード挿入口にカードを差込み、所定の操作スイッチに対して所定の操作を行なうことにより、遊技玉の借り受け（玉貸）が行なえるようになっている。そのカードユニットにより借り受ける遊技玉は、上皿２４０に払出される。
【００５４】図１３は、払出制御回路基板１００と、カードユニットに設けられているカードユニット制御基板２１０ａと、遊技制御基板９９とに設けられている制御回路を示すブロック図である。
【００５５】カードユニット制御基板２１０ａには、ＲＡＭ，ＲＯＭ，ＣＰＵ，Ｉ／Ｏポート等を含むカードユニット制御用マイクロコンピュータ２１０と、スイッチからの検出信号をカードユニット制御用マイクロコンピュータ２１０に入力するためのスイッチ回路２１１と、カードユニット制御用マイクロコンピュータ２１０からの表示制御信号を各種表示器に出力するための表示回路２１２と、カードユニット制御用マイクロコンピュータ２１０と払出制御回路基板１００の払出制御用マイクロコンピュータ２２０との間で信号のやり取りを行なうためのフォトカプラで構成される信号回路２１４と、電源回路２１５とが設けられている。このように両マイクロコンピュータ２１０，２２０間での信号のやり取りをフォトカプラを介して一旦光信号に変換して行なっているために、両マイクロコンピュータ２１０，２２０間が電気的に遮断された状態となり、一方の故障等に起因した異常高電圧等が他方のマイクロコンピュータにまで伝送されないために、一方の故障が他方にまで悪影響を及ぼすことを防止できる。さらに、このカードユニット制御基板２１０ａには、前記スイッチ回路２１１に接続された端数表示スイッチ１５９と玉貸額設定スイッチ２１３とが設けられ、さらに、前記表示回路２１２に接続された、ユニット使用可表示器１６０とカード挿入表示器１６１と連結方向表示器１６２とが設けられている。」（第８ページ第１４欄第１１〜４６行）
（ク−４）図面図１に遊技機の一例のパチンコ遊技機の遊技盤面を示す正面図が記載されている。（第１７ページ）
（ク−５）図面図６に玉払出装置の分解斜視図が記載されている。（第１８ページ）
（ク−６）図面図１３に払出制御回路基板とカードユニットに設けられているカードユニット制御基板と遊技制御基板とに設けられている制御回路を示すブロック図が記載されている。（第２２ページ）
（ク−７）図面図１４に払出制御用マイクロコンピュータによって制御される各種制御機器を含む制御回路を示すブロック図が記載されている。（第２３ページ）
　
（２）対比・判断
ア．本件発明１について
　本件発明１と上記（１）に摘記した事項から把握される刊行物アないし刊行物クに記載された発明とを比較すると、刊行物アないし刊行物クに記載された発明は、少なくとも本件発明１を特定する事項のうち「前記誘導切替手段により遊技球の誘導が球抜樋への誘導に切り替えられて誘導切替部より上流の遊技球が排出された際に、前記誘導切替部から貸球払出手段の球停止位置までの間に残存する残存遊技球数が、前記単位貸球数の整数倍のみとなる」という構成（以下、「本件発明１特有の構成」という。）を備えておらず、上記構成は刊行物アないし刊行物クに記載された事項から自明であるとも、本件発明が出願された時点で周知であるということもできない。
　そして、本件発明１は、本件発明１特有の構成により明細書記載の「貸球払出操作手段の操作・・・によって残存遊技球を排出させる際に、最後まで払出遊技球の不足が検出されず、エラーなく合理的に残存遊技球の抜き取り作業を行うことができる」（訂正明細書段落【００５６】参照。）という顕著な効果を奏するものと認められる。
　したがって、本件発明１は刊行物アないし刊行物クに記載された発明に基づいて当業者が容易に発明できたものとすることができない。
　
イ．本件発明２ないし６について
　本件発明２ないし６は、本件発明１を特定する事項にさらに限定を加えたものに相当するから、上記ア．で説示したと同様の理由により、刊行物アないし刊行物クに記載された発明に基づいて当業者が容易に発明できたものとすることができない。
　
（３）申立人の主張について
ア．申立人・済藤隆義の主張について
　申立人・済藤隆義は、その特許異議申立書第１４ページ第２２行〜第１５ページ第８行において、その甲第２号証（刊行物イ）の【００４６】及び図４に玉感知部材９２０ａ、９２０ｂと球停止位置との間に収容される遊技球数を所定数とする（以下、「申立人の主張する構成」という。）旨の記載があるので、本件発明１特有の構成は、当業者が容易になし得るものである旨主張している。
　しかしながら、刊行物イの「すなわち、玉切れ検出装置（玉検知部材９２０ａ，９０２ｂ，レール玉切れスイッチ６８ａ，６８ｂ）による玉切れ検出位置と玉払出装置（玉払出機６３）との間に、入賞玉１個に対し前記玉払出装置が払出す最大個数（たとえば１５個）以上の玉数が存在するように構成されている。」（【００４６】）という記載によれば、上記申立人の主張する構成は、遊技中の賞球払出不足を防止するための構成であると認められ、非遊技中に作動させることを目的とする誘導切替手段の誘導切替部と球停止位置との間に収容される遊技球数を規定することを想起させるものとは認められないので、かかる主張は根拠がない。
　
イ．申立人・町田彬の主張について
　申立人・町田彬は、その特許異議申立書第３０ページ第１６行〜第３１ページ第２３行において、本件発明１特有の構成は、技術の具体的適用に伴う設計変更に該当し、当業者の通常の創作能力の発揮の範囲内であって、格別な技術的困難性を有するものではなく、その奏する効果もその甲第１ないし５号証（刊行物ウないしキ）に記載の発明から当然に予測されるものである旨主張している。
　しかしながら、刊行物ウないしキには、貸球の払出指令により残存遊技球を抜き取る旨の記載はなく、どのような技術を適用する際の設計変更であるのかが不明であり、かかる主張は根拠がない。
　
６．特許法第３６条第６項第１号及び第２号について
ア．各請求項にエラー動作を発生する点が含まれておらず、発明の詳細な説明に記載されたものではない点については、上記訂正事項ａにより解消した。なお、貸球払出手段を停止させることはエラー動作の一例であると認められるので、請求項にエラー動作の内容として貸球払出手段の停止が記載されないことをもって、発明の詳細な説明に記載されたものではないとすることはできない。
　
イ．空切り防止スイッチは、本件明細書の記載からはエラー動作を発生させるものとは認められないので、空切り防止スイッチが請求項に含まれていないために発明が不明確になっているとは認められない。
　
７．むすび
　以上のとおりであるから、本件発明１ないし５は、その出願の日前の特許出願であって、その出願後に出願公開がされた特許出願の願書に最初に添付された明細書又は図面に記載された発明と同一であり、しかも、この出願の発明者がその出願前の特許出願に係る上記の発明をした者と同一ではなく、またこの出願の時において、その出願人が上記特許出願の出願人と同一でもないので、本件発明１ないし５の特許は、特許法第２９条の２の規定に違反してされたものである。
　したがって、本件発明１ないし５についての特許は、特許法第１１３条第２項に該当し、取り消されるべきものである。
　また、本件発明６についての特許を取り消すべき理由を発見しない。
　なお、申立人・町田彬が提出した平成１６年７月３０日付けの上申書を検討したが、上記結論に影響を与えない。
　よって、結論のとおり決定する。
【異議決定日】
平成１６年１０月１８日（２００４．１０．１８）
【訂正の要旨】
審決（決定）の【理由】欄参照。
（５４）【発明の名称】
弾球遊技機
（５７）【特許請求の範囲】
　【請求項１】　払出用の遊技球を貯留する貯留タンクと、
　前記貯留タンクから遊技球を流下させる誘導樋と、
　
前記誘導樋に連通する遊技球通路を有し、
前記遊技球通路に設けた
前記球停止位置を介して遊技球を払い出すように構成され、
　前記誘導樋を流下してきた遊技球を、前記貸球払出手段より上流の誘導樋に設けられた誘導切替部で、前記貸球払出手段への誘導又は誘導切替部より上流の遊技球を強制的に排出する球抜樋への誘導に切り替える誘導切替手段と
、
　
前記貸球払出手段から前記球停止位置を介して払い出された払出遊技球の個数をカウントする払出遊技球検出センサとを有し、
　
前記払出遊技球検出センサにより前記貸球払出手段から払い出される払出遊技球の個数の不足が検出された場合にはエラー動作が発生する
　前記誘導切替手段により遊技球の誘導が球抜樋への誘導に切り替えられて誘導切替部より上流の遊技球が排出された際に、前記誘導切替部から貸球払出手段の球停止位置までの間に残存する残
存
前記誘導切替部より下流側の前記誘導樋長さ及び径、前記遊技球通路の長さ及び径、並びに前記球停止位置の設置位置が決定された
　【請求項２】　整数倍が１倍であることを特徴とする請求項１に記載の弾球遊技機。
　【請求項３】　整数倍が２倍以上であることを特徴とする請求項１に記載の弾球遊技機。
　【請求項４】　貸球払出手段が賞球払出手段を兼ね、賞球払出条件が成立した場合には、前記貸球払出手段より賞品球を払い出すことを特徴とする請求項１ないし３のいずれかに記載の弾球遊技機。
　【請求項５】　貸球払出操作手段は、貸球払出手段に接続され、記憶媒体の払出可能遊技球情報を読み込むと共に、前記記憶媒体に払出可能遊技球情報がありかつ一の払出操作がなされた場合に貸球払出手段に単位貸球数の遊技球の払出指令を出力する記憶媒体読取ユニットからなり、該記憶媒体読取ユニットの払出指令により前記貸球払出手段に遊技球の払出動作を行わせることを特徴とする請求項１ないし４のいずれかに記載の弾球遊技機。
　【請求項６】　貸球払出手段に遊技機外部から外部払出指令装置を接続し、該外部払出指令装置から一の払出指令を出力する毎に、前記貸球払出手段に単位貸球数の遊技球の払出動作を行わせるようになっていることを特徴とする請求項１ないし５のいずれかに記載の弾球遊技機。
【発明の詳細な説明】
　【０００１】
　【発明の属する技術分野】
　本発明は、弾球遊技機に関し、特には遊技機内の遊技球を強制的に排出する構造を有する弾球遊技機に関するものである。
　【０００２】
　【従来の技術】
　従来、パチンコ遊技機等の弾球遊技機には、払出用の遊技球を貯留する貯留タンクから誘導樋を介して流下してきた遊技球を、貸球払出装置（貸球払出手段）の球停止位置で一旦停止させておき、貸球払出操作手段の払出操作（いわゆるＣＲ機における球貸用カードユニット等に球貸情報（払出可能遊技球情報）が記憶されたカードを挿入して球貸ボタンを押すなど）によって、所定数の遊技球（貸球）を払い出す構造になっているものが多い。なお、前記貸球払出装置においては、貸球払出操作手段の一の払出操作に対して払い出される遊技球の個数が単位貸球数（単位払出球数とも称される。以下同じ。）として予め設定されている。
　【０００３】
　また、貸球の払出しに際して、前記払出装置には、払い出す遊技球をカウントする払出遊技球検出センサが設けられており、払出遊技球の個数が貸球払出操作手段の払出操作回数に応じた個数（単位貸球数の整数倍）になると遊技球の払出しを停止するようになっている。さらに、前記払出遊技球検出センサにおいて、払出遊技球の個数が不足している場合にはエラーとなり、エラー報知手段によりエラー報知したり、払出装置の動作を停止させたりして、球不足による弊害が波及しないように構成されている。
　【０００４】
　また、このような弾球遊技機においては、遊技機メーカーにおける検査（特に払出装置動作検査）終了後や遊技店による故障メンテナンス時等に、遊技機内の遊技球を全て抜き出さねばならない場合がある。前記球抜き方法としては、払出装置より上流の誘導樋に誘導切替部を設け、誘導切替手段の操作で遊技球を前記誘導切替部から払出装置への誘導又は遊技機外へ連通する球抜樋への誘導に切り替えられるようにしておき、前記切り替えによって、誘導切替部より上流の遊技球を遊技機外に排出させるものが一般的である。ところで、前記誘導切替手段の操作では、誘導切替部から払出装置の球停止位置までの間に残存する遊技球（残存遊技球）については排出することができない。
　【０００５】
　そのため、従来では、検査等の終了後に、遊技中における貸球の払出操作と同様に前記球貸用カードユニットにカードを挿入して球貸ボタンを押したり、或いは貸球払出装置に遊技機外部から外部払出指令装置を接続して操作することにより、前記球貸用カードユニットにカードを挿入して球貸ボタンを１回押すのと同じ払出指令を貸球払出装置に出力したりして払出装置を作動させ、前記残存遊技球を単位貸球数ずつ（ここでは２５球ずつ）抜き取っている。
　【０００６】
　【発明が解決しようとする課題】
　しかしながら、このような従来の弾球遊技機においては、一の払出操作（払出指令）に対する単位貸球数は予め設定されているため、単位貸球数ずつ球抜きしていって最後に抜き出される（払い出される）遊技球の数が前記単位貸球数以下となった場合には、前述した払出遊技球検出センサによって払出遊技球の不足が検出されてエラーとなり、前記エラー動作が発生してしまう。このようなエラー動作が発生した場合、払出装置の停止状態を解除したり、払出装置を強制的に作動させたり、エラー状態を解除したりする等の面倒な作業が必要となり、球抜き作業に多大なる労力を費していた。
　【０００７】
　本発明はこのような状況に鑑みなされたもので、合理的に遊技機内の遊技球の抜き取りができる弾球遊技機を提供することを目的とする。
　【０００８】
　【課題を解決するための手段】
　すなわち、請求項１の発明は、払出用の遊技球を貯留する貯留タンクと、前記貯留タンクから遊技球を流下させる誘導樋と、
前記誘導樋に連通する遊技球通路を有し、
前記遊技球通路に設けた
前記球停止位置を介して遊技球を払い出すように構成され、
、前記貸球払出手段から前記球停止位置を介して払い出された払出遊技球の個数をカウントする払出遊技球検出センサとを有し、前記払出遊技球検出センサにより前記貸球払出手段から払い出される払出遊技球の個数の不足が検出された場合にはエラー動作が発生する
存
前記誘導切替部より下流側の前記誘導樋長さ及び径、前記遊技球通路の長さ及び径、並びに前記球停止位置の設置位置が決定された
　【０００９】
　また、請求項２の発明は、請求項１において、整数倍が１倍であることを特徴とする。
　【００１０】
　請求項３の発明は、請求項１において、整数倍が２倍以上であることを特徴とする。
　【００１１】
　請求項４の発明は、請求項１ないし３のいずれかにおいて、貸球払出手段が賞球払出手段を兼ね、賞球払出条件が成立した場合には、前記貸球払出手段より賞品球を払い出すことを特徴とする。
　【００１２】
　請求項５の発明は、請求項１ないし４のいずれかにおいて、貸球払出操作手段は、貸球払出手段に接続され、記憶媒体の払出可能遊技球情報を読み込むと共に、前記記憶媒体に払出可能遊技球情報がありかつ一の払出操作がなされた場合に貸球払出手段に単位貸球数の遊技球の払出指令を出力する記憶媒体読取ユニットからなり、該記憶媒体読取ユニットの払出指令により前記貸球払出手段に遊技球の払出動作を行わせることを特徴とする。
　【００１３】
　請求項６の発明は、請求項１ないし５のいずれかにおいて、貸球払出手段に遊技機外部から外部払出指令装置を接続し、該外部払出指令装置から一の払出指令を出力する毎に、前記貸球払出手段に単位貸球数の遊技球の払出動作を行わせるようになっていることを特徴とする。
　【００１４】
　【発明の実施の形態】
　以下添付の図面に基づき本発明の好適な実施形態を説明する。図１は本発明の一実施例に係る遊技機全体の正面図、図２は同遊技機の遊技盤の正面図、図３は同遊技機の遊技盤の裏面図、図４は同遊技機の制御系を簡略に示すブロック図、図５は同遊技機全体の裏面図、図６は同遊技機の裏機構板を示す図、図７は裏機構における誘導切替部付近を示す図、図８は裏機構板に設けられるケースレールの分解斜視図、図９は誘導切替手段の構造を示す斜視図、図１０は誘導切替手段による球抜き時を示す図、図１１は貸球払出装置を示す図、図１２は貸球払出装置の分解斜視図、図１３は賞球払出装置を示す図、図１４は賞球払出装置の分解斜視図である。
　【００１５】
　図１ないし図５に示す弾球遊技機は、この発明の一実施例に係るパチンコ遊技機１である。このパチンコ遊技機１は、枠体２の内側に遊技盤３が着脱交換可能に収容されており、その遊技盤３の縁に遊技球の外側ガイドレール４及び内側ガイドレール５が略円形に立設され、前記内側ガイドレール５によって囲まれた遊技領域６に、遊技球の入賞可能な入賞口等が設けられている。この実施例では、前記遊技盤３の遊技領域６に、次に説明するような複数の入賞口が設けられている。
　【００１６】
　まず、遊技領域６の中心線上に設けられた表示装置９の下方に、上側第１種始動入賞口１０及び普通電動役物で可動片１１ａ，１１ｂを有する下側第１種始動入賞口１１、特別電動役物である大入賞口１５が配設されており、その下方にはアウト口１７が配設されている。また、上方両側にはランプ風車１８ａ，１８ｂ、その下方に普通図柄変動開始用左ゲート１９及び普通図柄変動開始用右ゲート２１、その下方に風車２２ａ，２２ｂが設けられており、その下方に左袖入賞口２３と右袖入賞口２５が配設され、さらには前記大入賞口１５の両側に左落とし入賞口２７と右落とし入賞口２９が配設されている。
　【００１７】
　また、前記遊技機１の前面側には、遊技状態を報知するランプ表示器３５、払い出された遊技球を受けるための上側球受け皿３６、該上側球受け皿３６の飽和時に遊技球を受けるための下側球受け皿３７、遊技者による操作ハンドル９２の発射操作に応じて遊技球を遊技領域６に向けて弾発発射する発射装置９１等がそれぞれ組み付けられている。
　【００１８】
　前記発射装置９１は、図１及び図５から理解されるように、操作レバー９２と、該操作レバー９２の操作により駆動する発射モータ９３と、該発射モータ９３の駆動により間欠的に揺動して遊技球を弾発発射する打球杆９４とを有している。前記発射装置９１により発射された発射球は、前記遊技盤面に立設された外側誘導レール４と内側誘導レール５間で構成される発射球誘導路を介して遊技領域６に誘導されるようになっている。前記発射球誘導路により遊技領域６に誘導された遊技球は、転動しつつ下方へ落下し、前記各入賞口に入賞するか、或いは何処にも入賞しなければ前記アウト口１７から遊技盤３の裏側へ排出されるように構成される。
　【００１９】
　また、この実施例の弾球遊技機１には、貸球の払出しを行う際に遊技者等が操作する貸球払出操作手段として、図１に示すような記憶媒体読取ユニット（ここでは、球貸用カードユニット）１７０が設けられている。そして、球貸情報（払出可能遊技球情報）が記憶されたカード（記憶媒体）を球貸用カードユニット１７０のカード挿入口１７１に挿入すると、カードに記憶されている球貸情報を読み込み、上側球受け皿３６の前方端部に設けられた球貸操作部１７２の度数表示器１７３に度数等で球貸情報を表示するようになっている。なお、球貸操作部１７２には、他に、貸球の払出しを行う際に使用する球貸出ボタン１７４、遊技者が遊技を中止したいとき等に操作してカード挿入口１７１からカードを排出させるカード返却ボタン１７５も設けられている。
　【００２０】
　また、球貸用カードユニット１７０には端数設定スイッチ１７６が設けられており、遊技球（貸球）の払出端数が１００円分、５００円分、１０００円分の３段階に設定可能となっている。例えば、前記端数設定スイッチ１７６が１００円分に設定されている場合には、球貸操作部１７２の球貸出ボタン１７４の１回の操作で単位貸球数の１倍数の遊技球を払い出す払出指令が後述する貸球払出装置（貸球払出手段）１４０に出力され、５００円分と設定されている場合には、球貸出ボタン１７４の１回の操作で単位貸球数の５倍数の遊技球を払い出す払出指令が貸球払出手段１４０に出力されるというように、１００円分毎に単位貸球数の遊技球を払い出す払出指令が出力される。なお、この実施例では、貸球払出手段１４０の単位貸球数は２５個となっている。
　【００２１】
　なお、遊技機メーカーにおける検査（特に払出装置動作検査）終了後や遊技店による故障メンテナンス時等に、遊技機内の遊技球を全て抜き出す際には、遊技中と同様に前記貸球払出操作手段１７０にカード等の記憶媒体を挿入してボタン等を操作することによって球抜きを行う他に、抜き取り作業専用の記憶媒体を作製して用いたり、次に示すように、カード等の記録媒体を用いることなく球抜きを行えるようにしたりしてもよい。
　【００２２】
　すなわち、この実施例では、図４に示すように、貸球払出手段１４０に遊技機外部から外部払出指令装置１８０が接続可能になっている。外部払出指令装置１８０は、前記カードユニット１７０から出力される払出指令と同様の信号を発生可能な払出信号出力部と払出信号出力部より払出指令を出力するための操作部とにより構成されている。この外部払出指令装置１８０を球抜き作業時のみ貸球払出手段１４０に接続して（ここでは図５に示す払出制御基板１１８のカードインターフェイス接続部１２２を介して接続するようになっている。）外部払出指令装置１８０の操作部を操作（例えばボタンを押す等）することにより、単位貸球数の遊技球を払い出す一の払出指令が出力され、その指令を受けた貸球払出手段１４０が２５個（単位貸球数）の遊技球を払い出すように構成されている。なお、外部払出指令装置１８０には、単位貸球数の整数倍を選択できるセレクトボタン等を設けておき、例えば１倍を選べば、操作部を１回操作するだけで単位貸球数の１倍数の遊技球（２５個）を払い出す信号を出力でき、２倍を選べば、操作部を１回操作するだけで単位貸球数の２倍数（５０個）の遊技球を払い出す信号を出力できるようにしておいてもよい。
　【００２３】
　図中の表示装置９において、符号４１は数字，アルファベット，記号或いは絵（キャラクタ）等の図柄を変動表示及び停止表示（最終的に確定停止表示する前の仮停止表示を含む、以下同じ）可能な普通図柄表示装置、４３は同じく特別図柄表示装置、４５は普通図柄表示装置４１の７セグメントＬＥＤ等からなる普通図柄表示部、４７はＬＥＤ等からなる普通図柄変動数記憶表示器、４９は表示装置９の窓枠部、５０は特別図柄表示装置４３の液晶表示器（ＴＦＴ−ＬＣＤモジュール）等からなる画像表示部、５１はＬＥＤ等からなる特別図柄変動数記憶表示器である。この実施例の前記画像表示部５０の表示画面は、横に並ぶ３つの表示領域に分割されており、各表示領域で判定結果表示用の特別図柄がそれぞれ変動表示及び停止表示可能とされている。また、前記画像表示部５０には、前記特別図柄に加えて背景画像（キャラクタ，背景，文字等を含む。）が表示されることもあり、該背景画像が特別図柄の変動開始等の所定条件に起因して変動表示可能となっている場合もある。
　【００２４】
　さらに、大入賞口１５に関して符号６１は開閉板、６３は特定領域入賞口であり、また、符号３８は上側球受け皿３６に遊技球を払い出す遊技球払出口である。なお、前記特別図柄表示装置４３については、画像表示部５０が前記したように液晶表示器に限られるものではなく、ＬＥＤ、ＥＬ、ＣＲＴやその他発光体で構成されていてもよい。
　【００２５】
　前記遊技盤３の背面（裏面）には、入賞口への遊技球の入賞を検出する検出スイッチ等が設けられている。この実施例では、図３に示すように、検出スイッチが各入賞口に対してそれぞれ設けられている。例えば、前記左袖入賞口２３と右袖入賞口２５の入賞球を検出する左袖入賞口用検出スイッチ７８と右袖入賞口用検出スイッチ７９、前記左落とし入賞口２７と右落とし入賞口２９の入賞球を検出する左落とし入賞口用検出スイッチ８１と右落とし入賞口用スイッチ８２が、それぞれ対応する遊技盤背面に設けられている。
　【００２６】
　また、前記第１種始動入賞口１０，１１に入賞した球を検出する特別図柄変動開始スイッチ（始動入賞口センサ）５５ａ，５５ｂが入賞球用通路に設けられており、該入賞球の検出によって前記特別図柄表示装置４３の図柄変動を開始するようになっている。さらに、前記遊技盤３の大入賞口１５の背面側には、前記特定領域入賞口６３への入賞球を検出する特定入賞球検出スイッチ（特定領域センサ）６５が設けられ、該入賞球の検出により大入賞口１５を再度開ける継続権利が成立するようにされている。また、大入賞口１５内の略中央には、前記大入賞口１５に入賞し、かつ前記特定領域入賞口６３に入賞しなかった入賞球を検出する入賞球数カウントスイッチ（カウントセンサ）６７が設けられている。前記各入賞口への遊技球の入賞を各検出スイッチが検出すると、後述する賞球払出装置１６０によって、入賞球数に応じた所定数の賞品球が払い出されるようになっている。
　【００２７】
　前記した検出スイッチの他に遊技盤背面に設けられているものとしては、前記下側第１種始動入賞口１１の可動片１１ａ，１１ｂを開閉する第１種始動入賞口用ソレノイド５３と、前記大入賞口１５の開閉板６１を開閉する大入賞口ソレノイド５９、前記特定領域入賞口６３の開閉扉（図示せず）を所定条件時に開閉するための特定領域開放用ソレノイド６４、前記普通図柄変動開始用左ゲート１９及び普通図柄変動開始用右ゲート２１を通過する遊技球を検出する普通図柄変動開始スイッチ５６，５７等がある。
　【００２８】
　なお、該普通図柄変動開始スイッチ５６，５７で両ゲート１９，２１を通過する遊技球を検出することによって、前記普通図柄表示装置４１の図柄変動を開始させるようになっている。そして、前記普通図柄表示装置４１の普通図柄表示部４５において図柄変動した後に確定表示された図柄が予め設定されている特定の図柄であった場合には、小当たり（普通図柄当たり）となり、前記下側第１種始動入賞口１１のの可動片１１ａ，１１ｂの拡開開放を所定時間行うようになっている。
　【００２９】
　前記大入賞口１５の作動について説明すれば、前記第１種始動入賞口１０，１１に遊技球が入賞し、特別図柄変動開始スイッチ５５ａ，５５ｂによって入賞球が検出されると、前記特別図柄表示装置４３の画像表示部５０の各表示領域で特別図柄の変動を開始する。そして、所定時間変動後、予め設定された順で特別図柄が変動停止して、停止図柄の組合せが確定表示される。なお、図柄変動パターン等によっては、特別図柄の確定表示以前に、いわゆるリーチ状態となったり、いわゆるリーチ予告、当たり予告等が行われたりすることがある。
　【００３０】
　そして、前記確定表示された停止図柄の組合せが、予め決められた特定の大当たり図柄組合せ、例えば、同一図柄の組合せからなる通称ぞろ目であると、大当たり状態（特別遊技状態）に移行する。大当たり状態になると、前記大入賞口１５の開閉板６１が開いて遊技領域６表面を落下してくる遊技球を受け止め、大入賞口１５内へ入賞可能にし、該大入賞口１５への入賞があると、所定数の遊技球が賞品球として払い出される。
　【００３１】
　前記普通図柄表示装置４１及び特別図柄表示装置４３における図柄変動の制御は、図４に示す主制御回路１２１及び該回路１２１と前記表示装置９とを接続する表示制御回路１２５によって行われる。
　【００３２】
　前記主制御回路（主制御基板）１２１は、ＣＰＵ，ＲＡＭ，ＲＯＭ，複数のカウンタを備えたコンピュータと、該コンピュータと表示制御回路１２５等を結ぶ入出力回路と、前記コンピュータと大入賞口１５に接続される中継回路等を結ぶ入出力回路等で構成される。前記ＣＰＵは、制御部，演算部，各種カウンタ，各種レジスタ，各種フラグ等を備え、演算制御を行う他、大当たりの発生確率や小当たり（下側第１種始動入賞口１１の拡開開放を行う普通図柄当たり）の発生確率を定める乱数等も生成している。また、前記ＲＡＭは、特別図柄変動開始スイッチ５５ａ，５５ｂの検出信号及び普通図柄変動開始スイッチ５６，５７の検出信号用の記憶領域，ＣＰＵで生成される各種乱数値用の記憶領域，各種データを一時的に記憶する記憶領域やフラグ，ＣＰＵの作業領域を備えている。さらに、前記ＲＯＭには、遊技上の制御プログラムや制御データが書き込まれている他、大当たり及び小当たりの判定値等が書き込まれている。
　【００３３】
　また、前記表示制御回路１２５は、ＣＰＵ，ＲＡＭ，ＲＯＭを備えたコンピュータと、該コンピュータと前記主制御回路１２１を結ぶ入力回路と、前記コンピュータと普通図柄表示装置４１及び特別図柄表示装置４３を結ぶ出力回路等で構成される。前記ＣＰＵは、内部に制御部，演算部，各種カウンタ，各種レジスタ，各種フラグ等を有し演算制御を行うようになっている。また、前記ＲＡＭは、各種データの記憶領域と前記ＣＰＵによる作業領域等を有している。さらに、前記ＲＯＭには、前記画像表示部５０への表示データや各種表示プログラム等の図柄データが書き込まれている。
　【００３４】
　前記遊技機１の裏側には、図５に示すような裏機構を備えており、払出用の遊技球を溜める貯留タンク１０１、誘導樋９５、貸球払出装置（貸球払出手段）１４０、賞球払出装置（賞球払出手段）１６０、払出制御基板（払出制御回路）１１８等が配設された裏機構板１００を有している。なお、図５中の符号１０３は枠用外部出力端子、１０４は枠用外部出力端子基板、１０５は枠飾りランプ中継基板、１０６は受電基板、１０７は空切り防止スイッチ（球切れ検知スイッチ）、１０８は空切り防止スイッチ基板（球切れ検知スイッチ基板）、１０９は盤面用外部出力端子、１１０は盤面用外部出力基板、１１１は中央カバー、１１２は音声制御基板、１１３はフォト分配基板、１１４は電源基板、１１５はランプ制御基板、１１６はエラー表示部、１１７はミドルプレート、１１９は発射装置制御基板、１２０は下基板ベース、１２１は主制御基板、１２２はカードインターフェイス接続部、１２３，１２４は電源プラグである。
　【００３５】
　前記裏機構のうち、特に遊技球の払出しに関して、図６ないし１４を用いて説明する。図６の裏機構板１００に示すように、弾球遊技機の設置島から供給された払出用の遊技球は、まず、裏機構板１００に配設されている遊技球の貯留タンク１０１に貯留される。貯留タンク１０１には誘導樋９５と連通する連通口が設けられており、遊技球が誘導樋９５に流れるようになっている。誘導樋９５は、前記貯留タンク１０１から流れてきた遊技球を貸球払出装置（貸球払出手段）１４０及び賞球払出装置１６０に誘導するものであり、この実施例では、貯留タンク１０１の連通口に一端が接続されるタンクレール１０２と、該タンクレール１０２の他端に一端が接続されて他端が貸球払出装置１４０及び賞球払出装置１６０に至るケースレール１３０との２部材で構成されている。また、この実施例の誘導樋９５は、遊技球を効率よく誘導できるように、タンクレール１０２内部分では、平行に配列された３列の樋で構成されており、各列の樋内で遊技球が１列になってケースレール１３０へ流下するようになっている。そして、この実施例では、前記３列の誘導樋９５は、ケースレール内１３０で１列の貸球払出用誘導樋９５ａと２列の賞球払出用誘導樋９５ｂとに振り分けられている。なお、誘導樋９５はタンクレール１０２とケースレール１３０の２部材からなっていなくてもよく、１部材又は３部材以上からなっていてもよい。タンクレール１０２及びケースレール１３０を流下してきた遊技球は、後述する誘導切替部９６の上を通り、空切り防止スイッチ１０７を経て、貸球払出装置（貸球払出手段）１４０又は賞球払出装置１６０に達する。
　【００３６】
　前記貸球払出装置（貸球払出手段）１４０は、図１１の上面図（ａ）、正面図（ｂ）、右側面図（ｃ）及び図１２に示すように、上端がケースレールの貸球払出用誘導樋９５ａと通じ、下端が図示しない払出通路を介して遊技球払出口３８に通じる遊技球通路１５１を内部に有し、該遊技球通路１５１の途中を回動可能な貸球ストッパー１４７で開閉するようにされるとともに、払出遊技球の数を払出遊技球検出
センサ
センサ
　【００３７】
　この例の貸球ソレノイド１４２は、伸縮可能な作動部材１４２ａを下向きにして配置され、その作動部材１４２ａに賞球アーム１４３が係止されている。前記貸球ストッパー１４７は、貸球ストッパー軸１４９によって貸球ケース本体１４１に回動可能に取り付けられ、その回動によって先端の爪１４７ａが前記遊技球通路１５１途中の開口１５１ａから遊技球通路１５１に対し進入（突出）及び退避（非突出）可能とされている。また、前記貸球リンク１４８は、前記貸球ストッパー１４７の一部と係合する係合ピン１４８ａと、前記貸球アーム１４３と係合する係合凹部１４８ｂを有するものであって、前記貸球リンク軸１５０によって回動可能に貸球ケース本体１４２に軸着され、この貸球アーム１４３の回動によって前記貸球ストッパー１４７が回動するようになっている。
　【００３８】
　貸球払出装置１４０における具体的な作動について述べる。前記貸球払出用誘導樋９５ａから貸球払出装置１４０の遊技球通路１５１に入った遊技球は、図１１の（ｂ）図に示すように、遊技球通路１５１内へ突出状態となっている貸球ストッパー１４７によって、一旦、貸球払出装置１４０の球停止位置で停止する。なお、ここでは、貸球ストッパー１４７の突出部分が貸球払出装置１４０における球停止位置となっている。ここで、貸球払出操作手段１７０の球貸出ボタン１７４を押す等により貸球払出装置１４０に払出指令が出力されると前記払出制御回路１１８から信号が出されて貸球ソレノイド１４２が作動し、貸球ストッパー１４７が回動して非突出状態となり、遊技球が払い出される。また同時に、払出遊技球検出センサ１４５によって払出遊技球のカウントを行う。そして、前記したように単位貸球数（又は単位貸球数の整数倍）に達すると、再び、貸球ソレノイド１４２の作動によって貸球ストッパー１４７が回動して遊技球通路１５１内に突出して遊技球の払出しを止める。なお、払い出された遊技球（貸球）は、前記遊技球払出口３８から上側球受け皿３６に供給される。
　【００３９】
　前記賞球払出装置１６０は、図１３の上面図（ａ）、正面図（ｂ）、右側面図（ｃ）及び図１４に示すように、賞球ケース本体１６１、賞球スクリュー１６２を有する賞球モーター１６３、賞球本体カバー１６４、払出遊技球検出センサ（ここではフォトセンサ）１６５、賞球ケース軸受１６６、賞球ケース軸受カバー１６７等で構成されている。前記賞球払出装置１６０は、賞球モーター１６３が作動することによって、賞球スクリュー１６２が回転するようになっており、賞球払出用誘導樋９５ｂから賞球払出装置１６０に入って賞球スクリュー１６２の羽部分に乗った遊技球が徐々に下方へ移動して、球払出口（図示せず）から遊技球が払い出されるようになっている。
　【００４０】
　そして、前記入賞口に遊技球が入賞する等によって、賞球払出条件が成立した場合には、前記払出制御回路１１８から信号が出されて前記賞球モーター１６３を作動し、遊技球が払い出されるようになっている。また同時に、払出遊技球検出センサ１６５が作動し、払出遊技球のカウントを行い、所定数に達すると、賞球モーター１６３を停止して遊技球の払出しを止めるようになっている。払い出された遊技球（賞品球）は、前記遊技球払出口３８から上側球受け皿３６に供給される。
　【００４１】
　なお、前記貸球払出装置１４０及び賞球払出装置１６０の払出遊技球検出センサ１４５，１６５において、払出遊技球の個数が不足している場合にはエラーとなり、エラー報知手段によりエラー報知したり、払出装置の動作を停止させたりして、球不足による弊害が波及しないように構成されている。また、前記貸球払出装置１４０及び賞球払出装置１６０は、この実施例で記載したものに限らず、適宜の構造のものを使用すればよい。例えば、ここでは払出遊技球検出スイッチとしてフォトセンサを使用しているが、近接スイッチ等の他の検出手段を使用してもよい。
　【００４２】
　次に、遊技機メーカーにおける検査（特に払出装置動作検査）終了後や遊技店による故障メンテナンス時等に、遊技機内の遊技球を全て抜き出す際の作動について、図６ないし１０を用いて説明する。この遊技機１は、前記誘導樋９５を流下してきた遊技球を、前記貸球払出装置（貸球払出手段）１４０及び賞球払出装置（賞球払出手段）１６０等への誘導と、後述する球抜樋１３４への誘導とに切り替える誘導切替手段１３１が前記レールケース１３０に設けられている。
　【００４３】
　この実施例のケースレール１３０について、図７の正面図、図８の分解図、図９の誘導切替手段の主要部斜視図及び図１０の正面図を用いて説明する。前記ケースレール１３０は、ケースレール本体１３０ａと、第１仕切部材１３０ｂと、第２仕切部材１３０ｃと、ケースレール本体カバー１３０ｄとよりなり、ケースレール１３０内部が、誘導樋９５及び球抜樋１３４に区画形成されている。前記ケースレール１３０内の誘導樋９５は第１仕切部材１３０ｂ及び第２仕切部材１３０ｃで仕切られた３列とされ、該ケースレール１３０内における誘導樋９５の途中に形成された誘導切替部９６より下流位置で１列の貸球払出用誘導樋９５ａと２列の賞球払出用誘導樋９５ｂに振り分けられている。
　【００４４】
　前記誘導切替部９６は、ケースレール１３０における誘導樋９５途中の傾斜が緩やかな部分に設けられ、該傾斜が緩やかな部分下面に形成された球抜用開口９７を有し、該球抜用開口９７を通った遊技球を球抜用開口９７直下の球抜樋１３４へ誘導するようになっている。なお、この実施例では、前記誘導切替部９６における第１仕切部材１３０ｂ及び第２仕切部材１３０ｃの球抜用開口縁９８は、後記する誘導切替部材１３２の誘導切替板１３２ａが過剰に上方へ回動するのを規制する回動規制部となっている。
　【００４５】
　前記切替手段１３１は、前記球抜用開口９７を開閉させて遊技球の誘導を切り替えるものであって、誘導切替部材１３２と誘導切替ロック部材１３６と、誘導切替操作レバー１３３とより構成される。誘導切替部材１３２は、前記球抜用開口９７を下から塞ぐことのできる大きさの誘導切替板１３２ａと、該誘導切替板１３２ａの回動軸から下方に垂下しケースレール１３０外へ突出するおもり部１３２ｂとよりなる。この誘導切替部材１３２は、前記球抜用開口９７付近におけるケースレール本体１３０ａとケースレール本体カバー１３０ｄ間に誘導切替板１３２ａ側を上下回動可能にして軸着され、おもり部１３２ｂの重みで誘導切替板１３２ａ側が自然に上方へ回動して前記回動規制部としての球抜用開口縁９８に下方から当たるようにされている。そして、前記誘導切替板１３２ａが球抜用開口縁９８に当たることによって、さらなる上方回動が規制されるとともに、前記球抜用開口９７を塞ぐようになっている。また前記誘導切替板１３２ａの下方回動により、球抜用開口９７を開放できるようになっている。なお、前記おもり部１３２ｂの下面には誘導切替ロック部材１３６と係合する係合突条１３２ｃが形成されている。
　【００４６】
　誘導切替ロック部材１３６は、前記誘導切替板１３２ａの自由な下方回動を阻止するとともに球抜き時に誘導切替板１３２ａの下方回動を可能にするものである。この実施例の誘導切替ロック部材１３６は、ケースレール本体１３０ａとケースレール本体カバー１３０ｄ間に上下回動可能に軸着された上下回動可能な部材とされ、該部材１３６の上面には前記おもり部１３２ｂの係合突条１３２ｃと解除可能に係合する係合爪１３６ａが形成され、また該部材１３６の下面にはケースレール１３０の外面と接触してこの誘導切替ロック部材１３６の係合爪１３６ａ側を上向きに付勢するバネ片１３６ｂが形成されている。前記係合爪１３６ａは、前記誘導切替板１３２ａが球抜用開口９７を塞いだ状態となっているときに、前記おもり部１３２ｂ下面の係合突条１３２ｃと係合して、前記誘導切替板１３２ａの下方回動を阻止する。また、前記バネ片１３６ｂに抗する誘導切替部材１３２の下方回動によって係合爪１３６ａが係合突条１３２ｃから離れ、前記おもり部１３２ｂの上方回動、すなわち誘導切替板１３２ａの下方回動を可能にする。
　【００４７】
　誘導切替操作レバー１３３は、前記誘導切替部材１３２を下方回動させるためのものであって、前記誘導切替ロック部材１３６の回動軸から離れる端部１３６ｃ付近と係合する係合ピン１３３ａが横方向に突出して形成された構造からなり、前記ケースレール１３０外面に軸着されて誘導切替ロック部材１３６へ向かう横方向に回動可能とされている。前記誘導切替操作レバー１３３を誘導切替ロック部材１３６側へ回動させると、前記係合ピン１３３ａが下方へ回動して前記誘導切替ロック部材１３６を下方へ押し、それによって誘導切替ロック部材１３６が下方回動して前記係合爪１３６ａと係合突条１３２ｃの係合を解除する。符号１３３ｂは回動軸着用筒部であり、前記ケースレール本体１３０ａ外面のボス１３５に回動可能に嵌合する。
　【００４８】
　球抜き時、前記のように誘導切替操作レバー１３３を誘導切替ロック部材１３６側へ回動させて、誘導切替ロック部材１３６の係合爪１３６ａと切替操作部材１３２の係合突条１３２ｃとの係合を解除すると、前記誘導切替板１３２ａ上に位置する遊技球の重さによって誘導切替板１３２ａが下方へ回動して球抜用開口９７が開放され、前記誘導切替部９６より上流の遊技球が球抜用開口９７から球抜樋１３４へ誘導されて遊技機１外へ強制的に排出される。
　【００４９】
　このとき、遊技機１内における前記誘導切替部９６（この例では球抜用開口９７）から貸球払出手段（ここでは貸球払出装置１４０）の球停止位置（残存遊技球中における最下流の遊技球停止位置）までの間Ｌには、まだ遊技球が残存しており、この残存遊技球を遊技機外へ排出する必要がある。そのため、この発明の遊技機１では、前記誘導切替部９６から貸球払出装置１４０の球停止位置までの間Ｌは、単位貸球数の整数倍の残存遊技球が残るように、誘導樋９５の長さ及び径、貸球払出装置１４０の遊技球通路１５１の長さ及び径、貸球ストッパー１４７の設置位置等が決定されている。この実施例では、単位貸球数の１倍数、具体的には２５球の遊技球が残存遊技球として遊技機内のＬ間に残るようにされている。
　【００５０】
　このように、残存遊技球数が単位貸球数の整数倍のみとなっているため、従来から行っているように貸球払出操作手段や外部払出指令装置によって貸球払出装置１４０を作動させることによって残存遊技球を排出する際に、球不足によるエラーが発生せずに全ての残存遊技球を抜き取ることができる。さらに、この実施例では、単位貸球数の１倍数が残存遊技球数として設定されているため、１回だけ払出操作を行えば全ての残存遊技球を排出することができ、何回も払出操作を行う手間が省けるという利点もある。
　【００５１】
　なお、残存遊技球数が前記したような単位貸球数の１倍数でなく、単位貸球数の２倍以上の整数倍のみとなるようにされていてもよい。このときには、遊技者が遊技を行っている際に、多くの遊技球を遊技機内の誘導樋や貸球払出手段に貯留しておくことができるという利点がある。
　【００５２】
　また、前記誘導切替手段１３１による球抜樋１３４への遊技球の誘導後は、誘導切替部９６と賞球払出装置１６０の球停止位置（球貸スクリューの内部等における遊技球の最下流停止位置）間にも遊技球が残存しているが、この残存遊技球の排出についても、前記貸球払出装置１４０の場合のように、１回の賞球動作で払い出される遊技球数（単位賞品球数）の整数倍が残存遊技球数となるようにしておけば、入賞口に遊技球を強制的に入賞させる等によって単位賞品球数ずつ残存遊技球を排出する際などに、球不足によるエラーが発生せず、さらに効率的に遊技球を排出させることができる。
　【００５３】
　さらに、この実施例では、前記貸球払出装置１４０における払出及び払出停止を、前記貸球ソレノイド１４２による貸球ストッパー１４７の回動によって行っているが、この発明はそれに限るものではない。例えば、この実施例における前記賞球払出装置１６０に用いた賞球スクリュー１６２と同様のスクリュー機構を用いて貸球払出装置の払出及び払出停止を行うようにしてもよい。その場合でも、前記球停止位置は残存遊技球中の最下流に位置する遊技球の停止位置である。
　【００５４】
　また、この実施例では、貸球払出装置と賞球払出装置はそれぞれ別々に設けられていたが、これに限るものではない。例えば、貸球払出装置（貸球払出手段）が賞球払出装置（賞球払出手段）を兼ねており、前記したような賞球払出条件が成立した場合には、貸球払出手段より遊技球（賞品球）を払い出すようになっていてもよい。
　【００５５】
　またさらに、この実施例の遊技機１では、貸球払出操作手段（記憶媒体読取ユニット）が貸球払出手段（貸球払出装置）に接続されており、外部払出指令装置も遊技機外部から貸球払出手段に接続可能となっているため、貸球払出操作手段と外部払出指令装置のどちらによっても残存遊技球の球抜きを行うことができるようにされているが、貸球払出操作手段若しくは外部払出指令装置のどちらか一方が接続されている又は接続可能となっていれば、残存遊技球の排出は不都合なく行うことができる。
　【００５６】
　【発明の効果】
　以上図示し説明したように、請求項１に係る弾球遊技機によれば、遊技機メーカーにおける検査（特に払出装置動作検査）終了後や遊技店による故障メンテナンス時等で、遊技機内の遊技球を全て抜き出す必要がある場合において、遊技球の誘導切り替えによって誘導切替部より上流の遊技球が排出された後に、誘導切替部から貸球払出手段の球停止位置までの間に残存する残
存
前記誘導切替部より下流側の誘導樋長さ及び径、遊技球通路の長さ及び径、並びに前記球停止位置の設置位置が決定された
　【００５７】
　また、請求項２に係る遊技機においては、残存遊技球数が、貸球払出手段に予め設定された単位貸球数の１倍数のみとなるように構成されているため、一の払出操作で残存遊技球を全て抜き取ることができ、効率的に残存遊技球を排出させることができる。
　【００５８】
　さらに、請求項３に係る遊技機においては、残存遊技球数が、貸球払出手段に予め設定された単位貸球数の２以上の整数倍のみとなるように構成されているため、多くの遊技球を誘導樋や貸球払出手段に貯留することができる。
　【００５９】
　また、請求項４に係る遊技機においては、貸球払出装置が賞球払出装置を兼ねているため、賞球払出条件が成立した場合には、貸球払出手段（貸球払出装置）より遊技球（賞品球）を払い出すことができるので、貸球払出装置と賞球払出装置を別々に設ける必要がない。そのため、残存遊技球の抜き取り時に、誘導切替部から貸球払出装置までの残存遊技球さえ排出すればよくなり、より効率的に残存遊技球の抜き取りを行うことができる。
　【００６０】
　さらに、請求項５に係る遊技機においては、貸球払出操作手段が記憶媒体を用いた記憶媒体読取ユニットであるため、これを利用して誘導切替部から貸球払出手段の球停止位置までの間の残存する遊技球を球抜きすることができ、合理的に作業を行うことができる。
　【００６１】
　またさらに、請求項６に係る遊技機においては、貸球払出手段に遊技機外部から接続した外部払出指令装置によって誘導切替部から貸球払出手段の球停止位置までの間の残存する遊技球を球抜きするため、合理的に残存遊技球を排出させることができ、特に遊技機メーカーにおける検査等において高価な記憶媒体読取ユニットをいちいち取り付けなくてもよい、という利点もある。
【図面の簡単な説明】
　【図１】
　本発明の一実施例に係る遊技機全体の正面図である。
　【図２】
　同遊技機の遊技盤の正面図である。
　【図３】
　同遊技機の遊技盤の裏面図である。
　【図４】
　同遊技機の制御系を簡略に示すブロック図である。
　【図５】
　同遊技機全体の裏面図である。
　【図６】
　同遊技機の裏機構板を示す図である。
　【図７】
　裏機構における誘導切替部付近を示す図である。
　【図８】
　裏機構板に設けられるケースレールの分解斜視図である。
　【図９】
　誘導切替手段の構造を示す斜視図である。
　【図１０】
　誘導切替手段による球抜き時を示す図である。
　【図１１】
　貸球払出装置を示す図である。
　【図１２】
　貸球払出装置の分解斜視図である。
　【図１３】
　賞球払出装置を示す図である。
　【図１４】
　賞球払出装置の分解斜視図である。
　【符号の説明】
　　　１　遊技機
　　９５　誘導樋
　　９６　誘導切替部
　１０１　貯留タンク
　１３１　誘導切替手段
　１３４　球抜樋
　１４０　貸球払出手段（貸球払出装置）
　１６０　賞球払出手段（賞球払出装置）
　１７０　貸球払出操作手段
　１８０　外部払出指令装置